(57)【特許請求の範囲】
【請求項１】
ワイヤレス通信においてユーザ機器（ＵＥ）においてデータを受信するための方法であって、
前記ＵＥにおいて、第１の送信時間間隔（ＴＴＩ）の第１のデータリソースをスケジュールするための制御チャネルの共通探索空間を監視することと、
前記共通探索空間中のダウンリンク制御インジケータ（ＤＣＩ）の１つまたは複数のビットの値を決定することに少なくとも基づいて、前記制御チャネルが第２のＴＴＩに基づく前記ＵＥのための第２のデータリソースをスケジュールすると決定することと、
前記第２のＴＴＩに基づく前記第２のデータリソースを介して受信されるデータを処理することと、ここにおいて、前記第１のＴＴＩの第１の持続時間が前記第２のＴＴＩの第２の持続時間よりも大きく、前記監視することが、前記制御チャネルの共通探索空間を監視することを備える、
を備える、方法。
【請求項２】
前記制御チャネルが前記ＵＥのために前記第２のデータリソースをスケジュールすると決定することが、無線ネットワーク一時識別子（ＲＮＴＩ）に基づいて前記共通探索空間中の前記ダウンリンク制御インジケータ（ＤＣＩ）をデスクランブルすることに少なくとも基づく、請求項１に記載の方法。
【請求項３】
前記ＲＮＴＩが、前記ＵＥによって識別されたページングＲＮＴＩ、ランダムアクセスＲＮＴＩ、またはシステム情報ＲＮＴＩのうちの少なくとも１つである、請求項２に記載の方法。
【請求項４】
前記１つまたは複数のビットが前記第２のＴＴＩの前記第２の持続時間を示す、請求項１に記載の方法。
【請求項５】
前記制御チャネルが前記ＵＥのために前記第２のデータリソースをスケジュールすると前記決定することが、前記第２のＴＴＩに基づく前記第２のデータリソースのスケジューリングを示す前記ＤＣＩの巡回冗長検査（ＣＲＣ）マスキングを検出することに少なくとも基づく、請求項２に記載の方法。
【請求項６】
前記ＤＣＩが、前記第２のＴＴＩに基づく前記ＵＥのためにスケジュールされた前記第２のデータリソースの持続時間を示す、請求項２に記載の方法。
【請求項７】
前記第２のデータリソースが、前記制御チャネルの制御領域のリソースに時間的に後続して受信される、請求項１に記載の方法。
【請求項８】
前記第２のＴＴＩに基づく前記ＵＥのためにスケジュールされた前記第２のデータリソースが、ランダムアクセス要求許可に対応し、ランダムアクセスプロシージャにおける前記ＵＥからの後続の通信が、前記第１のＴＴＩに基づくのか前記第２のＴＴＩに基づくのかを決定することをさらに備える、請求項１に記載の方法。
【請求項９】
前記後続の通信が前記第１のＴＴＩに基づくのか前記第２のＴＴＩに基づくのかを決定することが、前記ランダムアクセス要求許可に少なくとも基づく、請求項８に記載の方法。
【請求項１０】
前記制御チャネルが、ランダムアクセスチャネル指令の開始を示し、
前記ＵＥの無線ネットワーク一時識別子（ＲＮＴＩ）に基づいて前記制御チャネルの探索空間中の前記ＵＥのためのダウンリンク制御インジケータ（ＤＣＩ）をデスクランブルすることに少なくとも基づいて、１つまたは複数の後続の通信が前記第１のＴＴＩに基づくのか前記第２のＴＴＩに基づくのかを決定すること
をさらに備える、請求項１に記載の方法。
【請求項１１】
前記１つまたは複数の後続の通信が前記第１のＴＴＩに基づくのか前記第２のＴＴＩに基づくのかを決定することは、後続の物理ランダムアクセスチャネルが前記第１のＴＴＩに基づく、または後続のランダムアクセス応答が前記第２のＴＴＩに基づく、のうちの少なくとも１つを決定することを備える、または、
前記ＤＣＩに少なくとも基づいて、ランダムアクセス要求許可に応答するための応答ウィンドウを決定することをさらに備える、または、
前記ＤＣＩに少なくとも基づいて、ランダムアクセスプロシージャにおける追加の通信を受信することに関係するタイマーを決定することをさらに備える、
請求項１０に記載の方法。
【請求項１２】
前記データがブロードキャストデータまたはユニキャストデータに対応する、または、  前記制御チャネル中の指示に少なくとも基づいて、前記第２のＴＴＩに基づく通信を監視することをアクティブ化または非アクティブ化することをさらに備える、請求項１に記載の方法。
【請求項１３】
ワイヤレス通信において発展型ノードＢ（ｅＮＢ）においてデータをスケジュールするための方法であって、
第１の送信時間間隔（ＴＴＩ）の第１のデータリソースをスケジュールする制御チャネルを送信することと、ここにおいて、前記制御チャネルが、ダウンリンク制御インジケータ（ＤＣＩ）を示す共通探索空間を含む、
前記ＤＣＩの１つまたは複数のビットを使用して、前記制御チャネル中の第２のＴＴＩに基づくユーザ機器（ＵＥ）のための第２のデータリソースのスケジューリングを示すことと、
前記第２のＴＴＩに基づく前記第２のデータリソースを介して前記ＵＥにデータを送信することと、ここにおいて、前記第１のＴＴＩの第１の持続時間が前記第２のＴＴＩの第２の持続時間よりも大きい、
を備える、方法。
【請求項１４】
前記第２のＴＴＩに基づく前記第２のデータリソースのスケジューリングを示すことが、無線ネットワーク一時識別子（ＲＮＴＩ）に基づいて前記ＵＥのためのダウンリンク制御インジケータ（ＤＣＩ）をスクランブルすることを備え、ここで、前記ＤＣＩが、前記第２のＴＴＩに基づく前記第２のデータリソースのスケジューリングを示す、請求項１３に記載の方法。
【請求項１５】
前記ＲＮＴＩが、前記ＵＥによって識別されたページングＲＮＴＩ、ランダムアクセスＲＮＴＩ、またはシステム情報ＲＮＴＩのうちの少なくとも１つである、または、
前記第２のデータリソースのスケジューリングを示すことが、前記第２のＴＴＩに基づく前記第２のデータリソースのスケジューリングを示す巡回冗長検査（ＣＲＣ）マスキングを用いて前記ＤＣＩをマスキングすることをさらに備える、請求項１４に記載の方法。
【請求項１６】
前記第２のＴＴＩに基づく前記ＵＥのためにスケジュールされた前記第２のデータリソースが、ランダムアクセス要求許可に対応し、ランダムアクセスプロシージャにおける前記ＵＥからの後続の通信が、前記第１のＴＴＩに基づくのか前記第２のＴＴＩに基づくのかを示すことをさらに備える、または、
前記制御チャネルを介してランダムアクセスチャネル指令の開始を示すことと、無線ネットワーク一時識別子（ＲＮＴＩ）に基づいてスクランブルされた前記制御チャネルの探索空間中の前記ＵＥのための前記ダウンリンク制御インジケータ（ＤＣＩ）に少なくとも基づいて、後続の通信が前記第１のＴＴＩに基づくのか前記第２のＴＴＩに基づくのかを示すこととをさらに備える、請求項１３に記載の方法。
【請求項１７】
前記ＤＣＩ中で、ランダムアクセス要求許可に応答するための応答ウィンドウを示すことをさらに備える、または、
前記ＤＣＩ中で、ランダムアクセスプロシージャにおける追加の通信を受信することに関係するタイマーを示すことをさらに備える、請求項１６に記載の方法。
【請求項１８】
ワイヤレス通信のための装置であって、
請求項１〜請求項１７のうちのいずれか一項のステップを実行するように構成された手段
を備える、装置。
【発明の詳細な説明】
【技術分野】
【０００１】
米国特許法第１１９条に基づく優先権の主張
[0001]本特許出願は、本出願の譲受人に譲渡され、参照により本明細書に明確に組み込まれる、２０１６年３月８日に出願された「TECHNIQUES FOR SCHEDULING DATA COMMUNICATIONS WITH SHORTENED TIME DURATION」と題する非仮出願第１５／０６４，３７３号、および２０１５年５月２２日に出願された「TECHNIQUES FOR SCHEDULING DATA COMMUNICATIONS IN CONTROL CHANNEL RESOURCES」と題する仮出願第６２／１６５，５５１号の優先権を主張する。
【背景技術】
【０００２】
[0002]本明細書では、一般に通信システムに関し、より詳細には、制御チャネルリソース中でデータ通信をスケジュールすることに関する態様が説明される。
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]レガシーＬＴＥを採用するワイヤレス通信システムでは、特定のｅノードＢによってサービスされる複数のＵＥが、１ミリ秒サブフレーム程度の送信時間間隔（ＴＴＩ：transmission time interval）を使用して、１つまたは複数のチャネルを介してｅノードＢと通信するためのリソースをスケジュールされ得る。ＵＥ能力および帯域幅に対する需要が増加するにつれて、通信におけるより低いレイテンシが望まれ得る。
【発明の概要】
【０００６】
[0006]以下は、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００７】
[0007]一例によれば、ワイヤレス通信においてユーザ機器（ＵＥ）においてデータを受信するための方法が提供される。本方法は、ＵＥにおいて、第１の送信時間間隔（ＴＴＩ）の第１のデータリソースに関連する制御チャネルを監視することを含む。本方法はまた、制御チャネルが第２のＴＴＩに基づくＵＥのための第２のデータリソースをスケジュールすると決定することと、第２のＴＴＩに基づく第２のデータリソースを介して受信されるデータを処理することとを含む。第１のＴＴＩの第１の持続時間が第２のＴＴＩの第２の持続時間よりも大きくなり得る。
【０００８】
[0008]他の態様では、ワイヤレス通信においてデータを受信するための装置が提供される。本装置は、少なくとも１つのプロセッサと、少なくとも１つのプロセッサと通信可能に結合されたメモリとを含む。少なくとも１つのプロセッサは、第１のＴＴＩの第１のデータリソースに関連する制御チャネルを監視することと、制御チャネルが第２のＴＴＩに基づくＵＥのための第２のデータリソースをスケジュールすると決定することと、第２のＴＴＩに基づく第２のデータリソースを介して受信されたデータを処理することとを行うように構成される。第１のＴＴＩの第１の持続時間が第２のＴＴＩの第２の持続時間よりも大きくなり得る。
【０００９】
[0009]別の例では、ワイヤレス通信において発展型ノードＢ（ｅＮＢ）においてデータをスケジュールするための方法。本方法は、第１のＴＴＩの第１のデータリソースに関連する制御チャネルを送信することと、制御チャネル中の第２のＴＴＩに基づくＵＥのための第２のデータリソースのスケジューリングを示すことと、第２のＴＴＩに基づく第２のデータリソースを介してＵＥにデータを送信することとを含む。第１のＴＴＩの第１の持続時間が第２のＴＴＩの第２の持続時間よりも大きくなり得る。
【００１０】
[0010]他の態様では、ワイヤレス通信においてデータを受信するための装置が提供される。本装置は、少なくとも１つのプロセッサと、少なくとも１つのプロセッサと通信可能に結合されたメモリとを含む。少なくとも１つのプロセッサは、第１のＴＴＩの第１のデータリソースに関連する制御チャネルを送信することと、制御チャネル中の第２のＴＴＩに基づくＵＥのための第２のデータリソースのスケジューリングを示すことと、第２のＴＴＩに基づく第２のデータリソースを介してＵＥにデータを送信することとを行うように構成される。第１のＴＴＩの第１の持続時間は第２のＴＴＩの第２の持続時間よりも大きくなり得る。
【００１１】
[0011]上記のおよび関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のうちのほんのいくつかを示すものであり、この説明は、すべてのそのような態様およびそれらの均等物を含むものとする。
【図面の簡単な説明】
【００１２】
【図１】[0012]本明細書で説明される態様による、電気通信システムの一例を概念的に示すブロック図。
【図２】[0013]アクセスネットワークの一例を示す図。
【図３】[0014]アクセスネットワーク中の発展型ノードＢおよびユーザ機器の一例を示す図。
【図４】[0015]アップリンク帯域幅割振りのための例示的なタイムラインを示す図。
【図５】[0016]本明細書で説明される態様による、例示的なシステムを示す図。
【図６】[0017]本明細書で説明される態様による、例示的なシステムを示す図。
【図７】[0018]ワイヤレス通信の例示的な方法のフローチャート。
【図８】ワイヤレス通信の例示的な方法のフローチャート。
【発明を実施するための形態】
【００１３】
[0019]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素がブロック図の形式で示される。
【００１４】
[0020]次に、様々な装置および方法に関して電気通信システムのいくつかの態様が提示される。これらの装置および方法が、以下の発明を実施するための形態において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課される設計制約に依存する。
【００１５】
[0021]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１６】
[0022]したがって、１つまたは複数の態様では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００１７】
[0023]本明細書では、ワイヤレス通信において制御チャネルを使用してデータリソースを割り振ることに関係する様々な態様が説明される。たとえば、超低レイテンシ（ＵＬＬ：ultra low latency）ワイヤレス技術が、既存のレガシーワイヤレス技術よりも短い送信時間間隔（ＴＴＩ）に基づくものとして定義され得る。特定の一例では、１ミリ秒（ｍｓ）（１つのサブフレーム）のＴＴＩに基づくロングタームエボリューション（ＬＴＥ）では、ＵＬＬ  ＬＴＥが、サブフレームよりも小さい持続時間を有するＴＴＩに基づくものとして定義されている。たとえば、ＵＬＬ  ＬＴＥは、サブフレームの１つのシンボル（たとえば、１つの直交周波数分割多重（ＯＦＤＭ）シンボル）、サブフレームの２つのシンボル、複数のシンボルを備えるサブフレームスロットなどの持続時間を有するＴＴＩに基づき得る。この点について、より短く、より頻繁なＴＴＩによって、通信におけるより低いレイテンシが達成される。そのようなより低いレイテンシの通信は、限定はしないが、改善されたバッテリー寿命、改善されたサービス品質（ＱｏＳ）など、ユーザ機器（ＵＥ）性能特性を改善することにおいて有用であり得る。
【００１８】
[0024]制御チャネルを使用してデータリソースを割り振ることに関係する本態様いくつかの例では、ＵＬＬワイヤレス技術は、送信機がＵＬＬワイヤレス技術とレガシーワイヤレス技術の両方を使用して信号を送信することができ、および／または受信機が両方のタイプの信号を受信することができるように、レガシーワイヤレス技術と共存することができる。特定の例では、第１のＴＴＩのデータリソースに関連する（たとえば、レガシーワイヤレス技術に関連する）制御チャネルが、第２のＴＴＩに関連する（たとえば、ＵＬＬワイヤレス技術に関連する）データリソースをスケジュールするために使用され得る。たとえば、ＵＬＬワイヤレス技術とレガシーワイヤレス技術の両方をサポートする基地局が、第２のＴＴＩに関連するデータリソースをスケジュールするために、一般に第１のＴＴＩに関連するデータリソースをスケジュールするために使用される、制御チャネルを送信することができる。一例では、基地局は、共通探索空間またはユーザ機器（ＵＥ）固有探索空間中のダウンリンク制御インジケータ（ＤＣＩ：downlink control indicator）を送信することができ、ここで、ＤＣＩは、ＤＣＩが、第２のＴＴＩに基づくデータリソースをスケジュールすることに対応することを指定する、１つまたは複数のインジケータを含むことができる。したがって、ＵＥは、探索空間中のＤＣＩを受信し、ＤＣＩが第２のＴＴＩに基づくデータリソースをスケジュールすることに関係すると決定し、したがって、第２のＴＴＩに基づくデータリソースを介してデータを通信することができる。したがって、本態様は、（たとえば、レガシーワイヤレス技術に関連する）第１のＴＴＩと（たとえば、ＵＬＬワイヤレス技術に関連する）第２のＴＴＩの両方に関連するデータリソースの共存を可能にするために、リソース要素レベル多重化またはブロックレベル多重化を可能にする。
【００１９】
[0025]最初に図１を参照すると、図は、本明細書で説明される態様による、ワイヤレス通信システム１００の一例を示す。ワイヤレス通信システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。１つまたは複数のＵＥ１１５は、本明細書でさらに説明されるように、第２のＴＴＩに関係するデータリソースのスケジューリングを受信するために第１のＴＴＩのデータリソースに関連する制御チャネルを監視するように構成された通信構成要素３６１を含み得る。同様に、１つまたは複数のアクセスポイント１０５は、一般に第１のＴＴＩのデータリソースに関連する、制御チャネルを使用して第２のＴＴＩのデータリソースをスケジュールするように構成されたスケジューリング構成要素３０２を含み得る。第２のＴＴＩのデータリソースは、ＵＥ１１５に専用のユニキャストデータ、あるいは複数のＵＥ１１５に送信されたブロードキャストまたはマルチキャストデータなどのうちの１つまたは複数に関係し得る。アクセスポイント１０５のうちのいくつかは、様々な例ではコアネットワーク１３０またはいくつかのアクセスポイント１０５（たとえば、基地局またはｅＮＢ）の一部であり得る、基地局コントローラ（図示せず）の制御下でＵＥ１１５と通信し得る。アクセスポイント１０５は、バックホールリンク１３２を通してコアネットワーク１３０と制御情報および／またはユーザデータを通信し得る。例では、アクセスポイント１０５は、ワイヤードまたはワイヤレス通信リンクであり得るバックホールリンク１３４を介して互いと直接または間接的にのいずれかで通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、通信リンク１２５の各々は、上記で説明された様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２０】
[0026]いくつかの例では、ワイヤレス通信システム１００の少なくとも一部分は、ＵＥ１１５のうちの１つまたは複数およびアクセスポイント１０５のうちの１つまたは複数が、別の階層レイヤに関して低減されたレイテンシを有する階層レイヤ上の送信をサポートするように構成され得る、複数の階層レイヤ上で動作するように構成され得る。いくつかの例では、ハイブリッドＵＥ１１５−ａは、（本明細書では「レガシー通信」とも呼ばれる）第１のＴＴＩを使用する第１のレイヤ送信をサポートする第１の階層レイヤと、（本明細書では「ＵＬＬ通信」とも呼ばれる）第１のＴＴＩよりも短くなり得る第２のＴＴＩを使用する第２のレイヤ送信をサポートする第２の階層レイヤの両方の上で、アクセスポイント１０５−ａと通信し得る。
【００２１】
[0027]他の例では、第２のレイヤＵＥ１１５−ｂは、第２の階層レイヤのみの上でアクセスポイント１０５−ｂと通信し得る。したがって、ハイブリッドＵＥ１１５−ａおよび第２のレイヤＵＥ１１５−ｂは、第２の階層レイヤ上で通信し得るＵＥ１１５の第２のクラスに属し得、レガシーＵＥ１１５は、第１の階層レイヤのみの上で通信し得るＵＥ１１５の第１のクラスに属し得る。アクセスポイント１０５−ｂおよびＵＥ１１５−ｂは、第２のサブフレームタイプのサブフレームの送信を通して第２の階層レイヤ上で通信し得る。アクセスポイント１０５−ｂは、第１の階層レイヤまたは第２の階層レイヤのみに関係する通信を送信し得るか、あるいは第１の階層レイヤと第２の階層レイヤの両方のための通信を送信し得る。
【００２２】
[0028]アクセスポイント１０５は、１つまたは複数のアクセスポイントアンテナを介してＵＥ１１５とワイヤレス通信し得る。アクセスポイント１０５サイトの各々は、それぞれのカバレージエリア１１０に通信カバレージを与え得る。いくつかの例では、アクセスポイント１０５は、基地トランシーバ局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。ワイヤレス通信システム１００は、異なるタイプのアクセスポイント１０５（たとえば、マクロ基地局、マイクロ基地局、および／またはピコ基地局）を含み得る。アクセスポイント１０５はまた、セルラーおよび／またはＷＬＡＮ無線アクセス技術（ＲＡＴ）など、異なる無線技術を利用し得る。アクセスポイント１０５は同じまたは異なるアクセスネットワークまたは事業者展開に関連し得る。同じまたは異なるタイプのアクセスポイント１０５のカバレージエリアを含み、同じまたは異なる無線技術を利用し、および／あるいは同じまたは異なるアクセスネットワークに属する、異なるアクセスポイント１０５のカバレージエリアは重複し得る。
【００２３】
[0029]ＬＴＥ／ＬＴＥ−Ａおよび／またはＵＬＬ  ＬＴＥネットワーク通信システムでは、発展型ノードＢ（ｅノードＢまたはｅＮＢ）という用語は、概して、アクセスポイント１０５を表すために使用され得る。ワイヤレス通信システム１００は、異なるタイプのアクセスポイントが様々な地理的領域にカバレージを与える、異種ＬＴＥ／ＬＴＥ−Ａ／ＵＬＬ  ＬＴＥネットワークであり得る。たとえば、各アクセスポイント１０５は、通信カバレージをマクロセル、ピコセル、フェムトセル、および／または他のタイプのセルに与え得る。ピコセル、フェムトセル、および／または他のタイプのセルなどのスモールセルは、低電力ノードまたはＬＰＮを含み得る。マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、概して、比較的より小さい地理的エリアをカバーすることになり、たとえば、ネットワークプロバイダのサービスに加入しているＵＥ１１５による無制限アクセスを可能にし得、無制限アクセスに加えて、スモールセルとの関連を有するＵＥ１１５（たとえば、限定加入者グループ（ＣＳＧ：closed subscriber group）中のＵＥ、自宅内のユーザのためのＵＥなど）による制限付きアクセスをも与え得る。マクロセルのためのｅＮＢはマクロｅＮＢと呼ばれることがある。スモールセルのためのｅＮＢはスモールセルｅＮＢと呼ばれることがある。ｅＮＢは、１つまたは複数の（たとえば、２つ、３つ、４つなどの）セルをサポートし得る。
【００２４】
[0030]コアネットワーク１３０は、バックホールリンク１３２（たとえば、Ｓ１インターフェースなど）を介してｅＮＢまたは他のアクセスポイント１０５と通信し得る。アクセスポイント１０５はまた、たとえば、バックホールリンク１３４（たとえば、Ｘ２インターフェースなど）を介して、および／またはバックホールリンク１３２を介して（たとえば、コアネットワーク１３０を通して）直接または間接的に、互いと通信し得る。ワイヤレス通信システム１００は、同期動作または非同期動作をサポートし得る。同期動作の場合、アクセスポイント１０５は同様のフレームタイミングを有し得、異なるアクセスポイント１０５からの送信は近似的に時間的に整合され得る。非同期動作の場合、アクセスポイント１０５は異なるフレームタイミングを有し得、異なるアクセスポイント１０５からの送信は時間的に整合されないことがある。さらに、第１の階層レイヤおよび第２の階層レイヤにおける送信は、アクセスポイント１０５の間で同期されることもされないこともある。本明細書で説明される技法は、同期動作または非同期動作のいずれかのために使用され得る。
【００２５】
[0031]ＵＥ１１５はワイヤレス通信システム１００全体にわたって分散され、各ＵＥ１１５は固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅノードＢ、スモールセルｅノードＢ、リレーなどと通信することが可能であり得る。ＵＥ１１５はまた、セルラーまたは他のＷＷＡＮアクセスネットワーク、あるいはＷＬＡＮアクセスネットワークなど、異なるアクセスネットワーク上で通信することが可能であり得る。
【００２６】
[0032]ワイヤレス通信システム１００において示されている通信リンク１２５は、ＵＥ１１５からアクセスポイント１０５へのアップリンク（ＵＬ）送信、および／またはアクセスポイント１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。通信リンク１２５は、いくつかの例では通信リンク１２５において多重化され得る、各階層レイヤの送信を搬送し得る。ＵＥ１１５は、たとえば、多入力多出力（ＭＩＭＯ）、キャリアアグリゲーション（ＣＡ）、多地点協調（ＣｏＭＰ）、多重接続性、または他の方式を通して、複数のアクセスポイント１０５と共同的に通信するように構成され得る。ＭＩＭＯ技法は、複数のデータストリームを送信するために、アクセスポイント１０５上の複数のアンテナおよび／またはＵＥ１１５上の複数のアンテナを使用する。
【００２７】
[0033]たとえば、キャリアアグリゲーションは、データ送信のための同じまたは異なるサービングセル上の２つまたはそれ以上のコンポーネントキャリアを利用し得る。ＣｏＭＰは、ＵＥ１１５のための全体的な送信品質を改善するために、ならびにネットワークおよびスペクトル利用を増加させる、いくつかのアクセスポイント１０５による送信および受信の協調のための技法を含み得る。多重接続性において、たとえば、ＵＥ１１５は、ＵＥ１１５とアクセスポイント１０５との間のアップリンク通信およびダウンリンク通信をサポートするように構成された少なくとも１つの１次セル（ＰＣｅｌｌ）で構成され得る。ＵＥ１１５と所与のアクセスポイント１０５との間の１つまたは複数の通信リンク１２５の各々についてＰＣｅｌｌがあり得ることを諒解されたい。さらに、通信リンク１２５の各々は、同様に、アップリンク通信および／またはダウンリンク通信をサポートすることができる１つまたは複数の２次セル（ＳＣｅｌｌ）を有することができる。いくつかの例では、ＰＣｅｌｌは少なくとも制御チャネルを通信するために使用され得、ＳＣｅｌｌはデータチャネルを通信するために使用され得る。ＵＥ１１５は、複数のアクセスポイントとの複数のＰＣｅｌｌリンクおよび／または複数のアクセスポイントとの複数のＳＣｅｌｌリンクを有し得る。
【００２８】
[0034]上述のように、いくつかの例では、アクセスポイント１０５およびＵＥ１１５は、複数のキャリア上で送信するために、キャリアアグリゲーションを利用し得る。いくつかの例では、アクセスポイント１０５およびＵＥ１１５は、２つまたはそれ以上の別個のキャリアを使用して、第１のサブフレームタイプを各々が有する１つまたは複数のサブフレームを、フレーム内で第１の階層レイヤにおいてコンカレントに送信し得る。各キャリアは、たとえば、２０ＭＨｚの帯域幅を有し得るが、他の帯域幅が利用され得る。ハイブリッドＵＥ１１５−ａおよび／または第２のレイヤＵＥ１１５−ｂは、いくつかの例では、別個のキャリアのうちの１つまたは複数の帯域幅よりも大きい帯域幅を有する単一のキャリアを利用して、第２の階層レイヤにおいて１つまたは複数のサブフレームを受信および／または送信し得る。たとえば、４つの別個の２０ＭＨｚキャリアが第１の階層レイヤにおいてキャリアアグリゲーション方式で使用される場合、単一の８０ＭＨｚキャリアが、第２の階層レイヤにおいて使用され得る。８０ＭＨｚキャリアは、４つの２０ＭＨｚキャリアのうちの１つまたは複数によって使用される無線周波数スペクトルと少なくとも部分的に重複する無線周波数スペクトルの一部分を占有し得る。いくつかの例では、第２の階層レイヤタイプのためのスケーラブル帯域幅は、さらに拡張されたデータレートを与えるために、上記で説明されたようなより短いＲＴＴを与えるための組み合わせられた技法であり得る。
【００２９】
[0035]ワイヤレス通信システム１００によって採用され得る異なる動作モードの各々は、周波数分割複信（ＦＤＤ）または時分割複信（ＴＤＤ）に従って動作し得る。いくつかの例では、異なる階層レイヤは、異なるＴＤＤまたはＦＤＤモードに従って動作し得る。たとえば、第１の階層レイヤはＦＤＤに従って動作し得、第２の階層レイヤはＴＤＤに従って動作し得る。いくつかの例では、ＯＦＤＭＡ通信信号は、各階層レイヤのためのＬＴＥダウンリンク送信のための通信リンク１２５において使用され得、シングルキャリア周波数分割多元接続（ＳＣ−ＦＤＭＡ）通信信号は、各階層レイヤにおけるＬＴＥアップリンク送信のための通信リンク１２５において使用され得る。ワイヤレス通信システム１００などのシステムにおける階層レイヤの実装に関する追加の詳細、ならびにそのようなシステムにおける通信に関係する他の特徴および機能が、以下の図を参照しながら以下で与えられる。
【００３０】
[0036]図２は、ＬＴＥまたはＵＬＬ  ＬＴＥネットワークアーキテクチャにおけるアクセスネットワーク２００の一例を示す図である。この例では、アクセスネットワーク２００はいくつかのセルラー領域（セル）２０２に分割される。１つまたは複数のスモールセルｅＮＢ２０８は、セル２０２のうちの１つまたは複数と重複するセルラー領域２１０を有し得る。スモールセルｅＮＢ２０８は、マクロｅＮＢ２０４よりも低い電力クラスのものであり得、フェムトセル（たとえば、ホームｅＮＢ（ＨｅＮＢ：home eNB））、ピコセル、マイクロセル、またはリモートラジオヘッド（ＲＲＨ：remote radio head）を含み得る。マクロｅＮＢ２０４は各々、それぞれのセル２０２に割り当てられ、セル２０２中のすべてのＵＥ２０６にコアネットワーク１３０へのアクセスポイントを与えるように構成される。一態様では、１つまたは複数のＵＥ２０６は、本明細書でさらに説明されるように、第２のＴＴＩに関係するデータリソースのスケジューリングを受信するために第１のＴＴＩのデータリソースに関連する制御チャネルを監視するように構成された通信構成要素３６１を含み得る。同様に、１つまたは複数のｅＮＢ２０４／２０８は、一般に第１のＴＴＩのデータリソースに関連する、制御チャネルを使用して第２のＴＴＩのデータリソースをスケジュールするように構成されたスケジューリング構成要素３０２を含み得る。第２のＴＴＩのデータリソースは、ＵＥ２０６に専用のユニキャストデータ、複数のＵＥ２０６に送信されたブロードキャストまたはマルチキャストデータなどに関係し得る。アクセスネットワーク２００のこの例には集中型コントローラはないが、代替構成では集中型コントローラが使用され得る。ｅＮＢ２０４は、無線ベアラ制御、承認制御、モビリティ制御、スケジューリング、セキュリティ、およびコアネットワーク１３０の１つまたは複数の構成要素への接続性を含む、すべての無線関係機能を担当する。
【００３１】
[0037]アクセスネットワーク２００によって採用される変調および多元接続方式は、展開されている特定の電気通信規格に応じて異なり得る。ＬＴＥまたはＵＬＬ  ＬＴＥ適用例では、周波数分割複信（ＦＤＤ）と時分割複信（ＴＤＤ）の両方をサポートするために、ＯＦＤＭがＤＬ上で使用され得、ＳＣ−ＦＤＭＡがＵＬ上で使用され得る。当業者が以下の詳細な説明から容易に諒解するように、本明細書で提示される様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを与えるためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる。
【００３２】
[0038]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データスチームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００３３】
[0039]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００３４】
[0040]以下の詳細な説明では、ＤＬ上でＯＦＤＭをサポートするＭＩＭＯシステムを参照しながらアクセスネットワークの様々な態様が説明される。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００３５】
[0041]図３は、アクセスネットワーク中でＵＥ３５０と通信しているｅＮＢ３１０のブロック図である。ＤＬでは、コアネットワークからの上位レイヤパケットが、コントローラ／プロセッサ３７５に与えられる。コントローラ／プロセッサ３７５はＬ２レイヤの機能を実装する。ＤＬでは、コントローラ／プロセッサ３７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ３５０への無線リソース割振りとを行う。コントローラ／プロセッサ３７５はまた、ＨＡＲＱ動作、紛失パケットの再送信、およびＵＥ３５０へのシグナリングを担当する。
【００３６】
[0042]送信（ＴＸ）プロセッサ３１６は、Ｌ１レイヤ（すなわち、物理レイヤ）のための様々な信号処理機能を実装する。信号処理機能は、ＵＥ３５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別個の送信機３１８ＴＸを介して異なるアンテナ３２０に与えられる。各送信機３１８ＴＸは、送信のためにそれぞれの空間ストリームでＲＦキャリアを変調する。さらに、ｅＮＢ３１０は、一般に第１のＴＴＩのデータリソースに関連する、制御チャネルを使用して第２のＴＴＩのデータリソースをスケジュールするように構成されたスケジューリング構成要素３０２を含み得、ここで、第１のＴＴＩはレガシーワイヤレス技術に対応し得、第２のＴＴＩは、第１のＴＴＩよりも短い持続時間のものであり得、ＵＬＬワイヤレス技術に対応し得る。スケジューリング構成要素３０２はコントローラ／プロセッサ３７５に結合されるものとして示されているが、スケジューリング構成要素３０２はまた、他のプロセッサ（たとえば、ＲＸプロセッサ３７０、ＴＸプロセッサ３１６など）に結合され、および／または本明細書で説明されるアクションを実行するように１つまたは複数のプロセッサ３１６、３７０、３７５によって実装され得ることを諒解されたい
【００３７】
[0043]ＵＥ３５０において、各受信機３５４ＲＸは、それのそれぞれのアンテナ３５２を通して信号を受信する。各受信機３５４ＲＸは、ＲＦキャリア上に変調された情報を復元し、その情報を受信（ＲＸ）プロセッサ３５６に与える。ＲＸプロセッサ３５６はＬ１レイヤの様々な信号処理機能を実装する。ＲＸプロセッサ３５６は、ＵＥ３５０に宛てられた任意の空間ストリームを復元するために、情報に対して空間処理を実行する。複数の空間ストリームがＵＥ３５０に宛てられた場合、それらはＲＸプロセッサ３５６によって単一のＯＦＤＭシンボルストリームに合成され得る。ＲＸプロセッサ３５６は、次いで高速フーリエ変換（ＦＦＴ）を使用してＯＦＤＭシンボルストリームを時間領域から周波数領域に変換する。周波数領域信号はＯＦＤＭ信号のサブキャリアごとに別々のＯＦＤＭシンボルストリームを備える。各サブキャリア上のシンボルと基準信号とは、ｅＮＢ３１０によって送信される、可能性が最も高い信号コンスタレーションポイントを決定することによって復元され、復調される。これらの軟判定は、チャネル推定器３５８によって計算されるチャネル推定値に基づき得る。軟判定は、次いで、物理チャネル上でｅＮＢ３１０によって最初に送信されたデータと制御信号とを復元するために復号され、デインターリーブされる。データおよび制御信号は、次いで、コントローラ／プロセッサ３５９に与えられる。
【００３８】
[0044]コントローラ／プロセッサ３５９はＬ２レイヤを実装する。コントローラ／プロセッサは、プログラムコードとデータとを記憶するメモリ３６０に関連し得る。メモリ３６０はコンピュータ可読媒体と呼ばれることがある。ＵＬでは、コントローラ／プロセッサ３５９は、コアネットワークからの上位レイヤパケットを復元するために、トランスポートチャネルと論理チャネルとの間の多重分離と、パケットリアセンブリと、解読と、ヘッダ復元と、制御信号処理とを行う。上位レイヤパケットは、次いで、Ｌ２レイヤの上のすべてのプロトコルレイヤを表すデータシンク３６２に与えられる。また、様々な制御信号がＬ３処理のためにデータシンク３６２に与えられ得る。コントローラ／プロセッサ３５９はまた、ＨＡＲＱ動作をサポートするために肯定応答（ＡＣＫ）および／または否定応答（ＮＡＣＫ）プロトコルを使用する誤り検出を担当する。さらに、ＵＥ３５０は、１つまたは複数のＵＥ１１５は、本明細書でさらに説明されるように、第２のＴＴＩに関係するデータリソースのスケジューリングを受信するために第１のＴＴＩのデータリソースに関連する制御チャネルを監視するように構成された通信構成要素３６１を含み得る、を含み得る。通信構成要素３６１はコントローラ／プロセッサ３５９に結合されるものとして示されているが、通信構成要素３６１はまた、他のプロセッサ（たとえば、ＲＸプロセッサ３５６、ＴＸプロセッサ３６８など）に結合され、および／または本明細書で説明されるアクションを実行するように１つまたは複数のプロセッサ３５６、３５９、３６８によって実装され得ることを諒解されたい。
【００３９】
[0045]ＵＬでは、データソース３６７は、コントローラ／プロセッサ３５９に上位レイヤパケットを与えるために使用される。データソース３６７はＬ２レイヤの上のすべてのプロトコルレイヤを表す。ｅＮＢ３１０によるＤＬ送信に関して説明された機能と同様に、コントローラ／プロセッサ３５９は、ヘッダ圧縮と、暗号化と、パケットのセグメンテーションおよび並べ替えと、ｅＮＢ３１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ３５９はまた、ＨＡＲＱ動作、紛失パケットの再送信、およびｅＮＢ３１０へのシグナリングを担当する。
【００４０】
[0046]ｅＮＢ３１０によって送信される基準信号またはフィードバックからの、チャネル推定器３５８によって導出されるチャネル推定値は、適切なコーディングおよび変調方式を選択することと、空間処理を可能にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられる。各送信機３５４ＴＸは、送信のためにそれぞれの空間ストリームでＲＦキャリアを変調する。
【００４１】
[0047]ＵＬ送信は、ＵＥ３５０における受信機機能に関して説明された様式と同様の様式でｅＮＢ３１０において処理される。各受信機３１８ＲＸは、それのそれぞれのアンテナ３２０を通して信号を受信する。各受信機３１８ＲＸは、ＲＦキャリア上に変調された情報を復元し、その情報をＲＸプロセッサ３７０に与える。ＲＸプロセッサ３７０はＬ１レイヤを実装し得る。
【００４２】
[0048]コントローラ／プロセッサ３７５はＬ２レイヤを実装する。コントローラ／プロセッサ３７５は、プログラムコードとデータとを記憶するメモリ３７６に関連し得る。メモリ３７６はコンピュータ可読媒体と呼ばれることがある。ＵＬでは、コントローラ／プロセッサ３７５は、ＵＥ３５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ３７５からの上位レイヤパケットはコアネットワークに与えられ得る。コントローラ／プロセッサ３７５はまた、ＨＡＲＱ動作をサポートするためにＡＣＫおよび／またはＮＡＣＫプロトコルを使用する誤り検出を担当する。
【００４３】
[0049]図４は、ワイヤレス通信システムにおいてＵＬＬ通信を管理するための、図において時間が左から右に延びるＵＬＬタイムライン４００、４０２の非限定的な例を示す図である。この例では、タイムライン４００、４０２は、サブフレームの各シンボル中にシンボル持続時間のＵＬＬフレームを含む。タイムライン４００、４０２は両方とも、ＵＬＬ物理ダウンリンク制御チャネル（ｕＰＤＣＣＨ：ULL physical downlink control channel）および／またはＵＬＬ物理ダウンリンク共有チャネル（ｕＰＤＳＣＨ：ULL physical downlink shared channel）のためのＴＴＩを表すシンボル、ならびにＵＬＬ物理アップリンク制御チャネル（ｕＰＵＣＣＨ：ULL physical uplink control channel）および／またはＵＬＬ物理アップリンク共有チャネル（ｕＰＵＳＣＨ：ULL physical uplink shared channel）を含むＴＴＩを表すシンボルを示す。タイムライン４００では、（たとえば、ノーマルＣＰの場合）所与のサブフレーム内に１４個のシンボルが示されており、タイムライン４０２では、（たとえば、拡張ＣＰの場合）所与のサブフレーム内に１２個のシンボルが示されている。いずれの場合も、シンボルベースＴＴＩを利用することによって、ＵＬＬにおいてより低いレイテンシが達成される。他の例では、ＴＴＩが、２つまたはそれ以上のシンボル、サブフレームのスロット（ここで、サブフレームは２つのスロットを含む）などであり得ることを諒解されたい。さらに、図示された例では、ＨＡＲＱプロセス応答時間が４つのシンボル（または４つのデュアルシンボル、４つのスロットなど）であり得る。図示された例では、ｕＰＤＣＣＨ／ｕＰＤＳＣＨはシンボル０中で送られ、ＨＡＲＱは、サブフレーム中のシンボル４中などで処理され、送られる。
【００４４】
[0050]本明細書でさらに説明されるように、一例では、ｕＰＤＳＣＨおよび／またはｕＰＵＳＣＨは、追加または代替として、レガシーＬＴＥの制御チャネル（たとえば、ＰＤＣＣＨまたはｅＰＤＣＣＨ）を使用してスケジュールされ得る。特定の一例では、ブロードキャスト／マルチキャスト通信のためのｕＰＤＳＣＨはＰＤＣＣＨを使用してスケジュールされ得、ユニキャスト通信はｕＰＤＣＣＨを使用してスケジュールされる。
【００４５】
[0051]図５は、第２のＴＴＩに基づくデータリソースをスケジュールするために、第１のＴＴＩのためのデータリソースに関連する制御チャネルを利用するための例示的なシステム５００を示す。システム５００は、第１のＴＴＩに基づくレガシーワイヤレス技術と、より短い持続時間（たとえば、第１のＴＴＩがサブフレーム持続時間のものである場合、シンボル、２つのシンボル、スロットなどの持続時間）の第２のＴＴＩに基づくＵＬＬワイヤレス技術とを含み得る、１つまたは複数のワイヤレス技術を使用して１つまたは複数のＵＥ５１５と通信する基地局５０５を含む。基地局５０５は、一般に第１のＴＴＩに基づくデータリソースをスケジュールするために使用されるが、制御チャネルを使用することによって第２のＴＴＩに基づくデータリソースをスケジュールすることもできる、制御チャネルを送信するためのスケジューリング構成要素３０２を含むことができる。ＵＥ５１５のうちの１つまたは複数は、基地局５０５から制御チャネルを受信し、制御チャネルから、第２のＴＴＩに基づくリソースのスケジューリングを決定するための通信構成要素３６１を含むことができる。
【００４６】
[0052]たとえば、基地局５０５は、図４に関して説明されたように、第１のＴＴＩに基づき得るサブフレームを構築し得る複数のシンボル５０８を送信することができる。この例では、第１の２つのシンボルが、第１のＴＴＩに従って制御チャネル（たとえば、ＬＴＥにおける物理ダウンリンク制御チャネル（ＰＤＣＣＨ）、拡張ＰＤＣＣＨ（ｅＰＤＣＣＨ）など）を送信するための制御領域として使用され得る。ＬＴＥでは最初の０〜３つのシンボルのうちのいずれかが制御領域として予約され得ることを諒解されたい。いずれの場合も、ＵＥ５１５は、ＰＤＣＣＨが所与のＵＥ５１５のためのデータリソースのスケジューリングを含むかどうかを決定するために、ＰＤＣＣＨについて制御領域５１０を監視することができる。一例では、制御領域５１０は、各ＵＥ５１５が、共通探索空間（ＣＳＳ：common search space）を監視することができ、ＵＥ５１５によって識別された識別子（たとえば、無線ネットワーク一時識別子（ＲＮＴＩ：radio network temporary identifier））を使用してダウンリンク制御インジケータ（ＤＣＩ）をデスクランブルすることを試みることに少なくとも部分的に基づいて、ＤＣＩがＣＳＳ中でＵＥ５１５のために受信されたかどうかを決定することができるように、ＣＳＳに対応するかまたはそれを含むことができる。別の例では、制御領域５１０は、ＵＥ５１５がそれのＤＣＩについてＰＤＣＣＨ中の特定のロケーションを探索することができるように、ＵＥ固有探索空間にも対応することができる。
【００４７】
[0053]たとえば、ＬＴＥにおけるＣＳＳは、ページング信号、ランダムアクセス信号、システム情報信号など、ブロードキャスト／マルチキャスト通信がそれを介してスケジュールされ得るリソースのセットを含むことができる。したがって、１つまたは複数のＵＥ５１５は、ＣＳＳの知られているリソースを介して１つまたは複数のブロードキャスト／マルチキャスト信号を受信することができ、ＣＳＳが、ページング、ランダムアクセス、システム情報などのためのＤＣＩを含むかどうかを決定するために、ページングＲＮＴＩ（Ｐ−ＲＮＴＩ：paging RNTI）、ランダムアクセスＲＮＴＩ（ＲＡ−ＲＮＴＩ：random access RNTI）、システム情報ＲＮＴＩ（ＳＩ−ＲＮＴＩ：system information RNTI）など、シグナリングのタイプに固有の、知られているまたは構成されたＲＮＴＩを使用して、通信をデスクランブルすることを試みることができる。そうである場合（たとえば、ＵＥ５１５によるデスクランブリングが有効なＤＣＩを生成する場合）、ＵＥ５１５は、ＤＣＩ中の情報に基づいて、ページング、ランダムアクセス、システム情報などに関係するデータリソースを決定することができ、したがって、データリソースを介して、関係するデータを受信することができる。
【００４８】
[0054]一例では、基地局５０５が、第２のＴＴＩに基づくデータリソースをスケジュールするために、一般に、レガシーワイヤレス技術の第１のＴＴＩに関係するデータリソースに対応する、レガシー制御領域５１０を利用する場合、基地局５０５は、対応するＤＣＩ中の情報を使用することによって第２のＴＴＩに基づくデータリソースをスケジュールすることを示すことができる。特定の例では、基地局５０５は、ページング信号、ランダムアクセス信号、システム情報信号などを受信するために、ＵＥ５１５のうちの１つまたは複数のためのリソースをスケジュールすることができ、ここで、リソースは、ＵＬＬワイヤレス技術の第２のＴＴＩに基づく。この例では、基地局５０５は、対応するＤＣＩ中で第２のＴＴＩに基づくデータリソースのスケジューリングを示すことができ、ＵＥ５１５の（たとえば、スケジュールされているリソースのタイプに基づく）関連するＰ−ＲＮＴＩ、ＲＡ−ＲＮＴＩ、ＳＩ−ＲＮＴＩなどを使用してＤＣＩをスクランブルすることができる。基地局５０５は、レガシーワイヤレス技術の制御領域５１０中で、スクランブルされたＤＣＩをＵＥ５１５に送信することができる。
【００４９】
[0055]たとえば、基地局５０５は、レガシーワイヤレス技術において定義されるフォーマット（たとえば、ＬＴＥにおけるＤＣＩフォーマット１Ａ）を使用してＤＣＩを送信することができ、スケジュールされているデータリソースが第２のＴＴＩに基づく（あるいは異なる持続時間を有する第１のＴＴＩまたは他のＴＴＩに基づく）データリソースに対応するか否かを示すために、フォーマットによって定義される１つまたは複数のビットを使用することができる。一例では、基地局５０５は、スケジュールされているデータリソースが第２のＴＴＩ（あるいは第１のＴＴＩまたは他のＴＴＩ）に対応するかどうかを示すために、（たとえば、ＨＡＲＱがブロードキャスト／マルチキャスト通信のために利用されないことがあるので）ＨＡＲＱプロセス情報のために予約されるＤＣＩフォーマットの１つまたは複数のビットを利用することができる。したがって、ＤＣＩを受信およびデスクランブルするＵＥ５１５は、ＤＣＩフォーマット１Ａ中の１つまたは複数のビットの値を、スケジュールされるべきデータリソース（たとえば、シンボル５１２中のｕＰＤＳＣＨに対応するリソース）が、ページング、ランダムアクセス（たとえば、ランダムアクセス応答）、システム情報、または（たとえば、ＤＣＩを正常にデスクランブルするために使用されるＲＮＴＩに基づく）同様のブロードキャストリソースのための、１ｍｓ  ＴＴＩ、新しいＴＴＩ（たとえば、１つまたは２つのシンボル、１つのスロットなど）などに基づくことを示すものとして解釈し得る。
【００５０】
[0056]その上、一例では、ＤＣＩフォーマットの１つまたは複数のビットは、スケジュールされているデータリソースの持続時間、（たとえば、同じ領域、後続の領域（たとえば、別のリソースブロック）などの中の）制御領域へのそれぞれのデータリソースのロケーションを示すために使用され得る。一例では、スケジュールされるべきデータリソースの持続時間が変化させられ得る。そのような例では、ＤＣＩを受信およびデスクランブルするＵＥ５１５は、ＤＣＩの１つまたは複数のビットに基づいて、スケジュールされるべきデータリソース（たとえば、シンボル５１２中のｕＰＤＳＣＨに対応するリソース）の持続時間を決定し得る。別の例では、スケジュールされるべきデータリソースの持続時間は、固定（たとえば、決定されたＴＴＩ持続時間に基づく１つのシンボルまたは場合によっては１つのＴＴＩ）であり得る。別の例では、ＤＣＩを受信およびデスクランブルするＵＥ５１５は、ＤＣＩの１つまたは複数のビットに基づいて、制御チャネル（たとえば、ＰＤＣＣＨ）へのそれぞれのスケジュールされるべきデータリソース（たとえば、シンボル５１２中のｕＰＤＳＣＨに対応するリソース）のロケーションを決定し得る。たとえば、ビットは、同じ制御領域５１０または後続の領域（たとえば、シンボル５１２）の場合のようにロケーションを示し得る。同じ制御領域中にある場合、データリソースはリソース要素グループ（ＲＥＧ：resource element group）または制御チャネル要素（ＣＣＥ：control channel element）ベースであり得、他の場合、データリソースはリソースブロックベースであり得る。
【００５１】
[0057]また別の例では、基地局５０５は、スケジュールされるべきデータリソースが第２のＴＴＩ（あるいは第１のＴＴＩまたは別のＴＴＩ）に基づくべきであるかどうかを示すために、ＤＣＩの巡回冗長検査（ＣＲＣ）マスキングを使用することができる。たとえば、基地局５０５は、ＤＣＩを送信する際に含めるためのＣＲＣを生成することができ、ＣＲＣにマスクを適用することができる。ＤＣＩを受信するＵＥ５１５は、ＣＲＣに適用されたマスクを決定することができ、したがって、ＤＣＩによってスケジュールされた対応するデータリソースのためのＴＴＩを決定することができる。スケジュールされるべきデータリソースのＴＴＩ持続時間の指示との、ＤＣＩのビット、ＣＲＣのマスクなどの関連付けは、ＤＣＩのビット、ＣＲＣのマスクなどに基づいて、ＵＥ５１５がＴＴＩ持続時間を決定することを可能にするように、（たとえば、記憶または通信された構成などを介して）基地局５０５およびＵＥ５１５によって知られ得ることを諒解されたい。
【００５２】
[0058]第２のＴＴＩに基づくデータリソースをスケジュールすることは、いくつかのブロードキャスト／マルチキャスト送信のために可能にされ得るが、必ずしも他のもののために可能にされるとは限らない（たとえば、Ｐ−ＲＮＴＩおよびＲＡ−ＲＮＴＩのために可能にされ得るが、ＳＩ−ＲＮＴＩは１ｍｓ  ＴＴＩに基づく、またはＲＡ−ＲＮＴＩのために可能にされ得るが、Ｐ−ＲＮＴＩおよびＳＩ−ＲＮＴＩは１ｍｓ  ＴＴＩに基づくなど）ことを諒解されたい。特定の例では、ＲＡ−ＲＮＴＩの場合、基地局５０５は、基地局５０５によって送信されるべきランダムアクセス応答（ＲＡＲ：random access response）許可を搬送するために、第２のＴＴＩに基づくデータリソース（たとえば、シンボル５１２中のｕＰＤＳＣＨリソース）をスケジュールし、ここで、ＲＡＲ許可は、ＵＥ５１５からの受信されたランダムアクセス要求に基づいてスケジュールおよび送信され得る。この例では、ＵＥ５１５は、後続の対応するランダムアクセスプロシージャ通信（たとえば、メッセージ３、メッセージ４など）も第２のＴＴＩに基づく（たとえば、後続の対応する通信が第２のＴＴＩ（ｕＰＵＳＣＨ）に暗黙的にリンクされ得る）と仮定することができる。別の例では、ＲＡＲ許可は、ランダムアクセスプロシージャの後続の通信が第２のＴＴＩに基づくのか（たとえば、メッセージ３のためのｕＰＵＳＣＨリソース）第１のＴＴＩに基づくのか（たとえば、メッセージ３のためのＰＵＳＣＨリソース）を示すことができる。いずれの場合も、ＲＡＲ許可はまた、ＵＥが、仮定されたまたは示されたＴＴＩに基づくリソースを介してメッセージ３を送信することができるように、リソースのロケーションを示すことができることを諒解されたい。
【００５３】
[0059]別の例では、基地局５０５は、ＵＥ５１５に基地局５０５とのランダムアクセスプロシージャを実行させるために、ランダムアクセスチャネル（ＲＡＣＨ：random access channel）指令に関係するＵＥ５１５のための（たとえば、制御領域５１０のＣＳＳまたはＵＥ固有探索空間中の）ＤＣＩを送信することができる。ＲＡＣＨ指令の開始に関係するＤＣＩの場合、基地局５０５は、同様に、ＲＡＣＨ指令に関係するデータリソースが第２のＴＴＩ（あるいは第１のＴＴＩまたは他のＴＴＩ）に基づくべきであるかどうかを指定することができる。レガシーＬＴＥでは、ＤＣＩフォーマット１Ａは、ＤＣＩフォーマット１ＡのＣＲＣがセルＲＮＴＩ（Ｃ−ＲＮＴＩ）を用いてスクランブルされ、ＤＣＩの残りのフィールドがある値に設定される（たとえば、局所／分散仮想リソースブロック（ＶＲＢ：virtual resource block）割当てフラグが、「０」に設定された１ビットを有し、「１」に設定されたリソースブロック割当てビット、６ビットプリアンブルインデックス、４ビット物理的ＲＡＣＨ（ＰＲＡＣＨ）マスクインデックス、および「０」に設定された１つのＰＤＳＣＨコードワードのコンパクトスケジューリング割当てのための残りのビット）場合、ＰＤＣＣＨ指令によって開始されるランダムアクセスプロシージャのために使用される。
【００５４】
[0060]この例では、これらのフィールドの１つまたは複数のビット（たとえば、ゼロパディングビットなど、残りのビットのうちの１つ）が、異なるＲＡＣＨプロシージャ（たとえば、異なるＴＴＩに基づくＲＡＣＨプロシージャ、ＲＡＣＨプロシージャに関係する他のパラメータなど）を示すために利用され得る。たとえば、１ビットが「０」に設定される場合、これは、第１のＴＴＩに基づくレガシーＬＴＥ  ＲＡＣＨプロシージャなどを示すことができる。ビットのうちの１つまたは複数が「１」に設定される場合、これは、ＲＡＣＨプロシージャに関与するダウンリンクチャネルまたはアップリンクチャネルのうちの少なくとも１つのための異なるＴＴＩ持続時間を用いた新しいＲＡＣＨプロシージャを示すことができる。さらに、たとえば、「１」に設定された１つまたは複数のビットが、新しいプロシージャのための、ＲＡＣＨ通信を受信することに関係する新しいタイマー（たとえば、より短いＴＴＩに基づくより短いタイマー）、ＲＡＣＨ通信が送信されるべきである応答ウィンドウ（たとえば、より短いＴＴＩに基づくより短い応答ウィンドウ）などを示すために使用され得る。
【００５５】
[0061]いずれの場合も、（第１のＴＴＩよりも短い持続時間を有する）第２のＴＴＩに基づくデータリソースの利用を可能にするためのＲＡＣＨプロシージャへの上記で説明された改善は、ハンドオーバ、アップリンクタイミング同期などの効率を改善するために有用であり得る。ＵＥ固有探索空間中のＰＤＣＣＨ／ｅＰＤＣＣＨを使用してブロードキャスト／マルチキャストｕＰＤＳＣＨデータリソースをスケジュールするために制御領域５１０を使用することは、可能にされることもされないこともある。制御領域５１０はまた、第２のＴＴＩに基づくＵＥ５１５のためのユニキャストデータリソースをスケジュールするために、一般に第１のＴＴＩのデータリソースをスケジュールするために使用される、レガシー制御チャネル（たとえば、ＰＤＣＣＨ、ｅＰＤＣＣＨなど）を含み得、その場合、ＰＤＣＣＨは、ＣＳＳおよび／またはＵＥ固有探索空間からのものであり得る。したがって、本態様は、レガシー制御チャネルからスケジュールされた高速ダウンリンク送信またはアップリンク送信を可能にする。
【００５６】
[0062]その上、たとえば、本態様は、一般に、使用されるべき第１のＴＴＩのデータリソースをスケジュールするために使用される、レガシー制御チャネル（たとえば、ＰＤＣＣＨ、ｅＰＤＣＣＨなど）が、（たとえば、説明されたように、ＵＥ５１５のための対応するＤＣＩのビット、ＤＣＩのＣＲＣマスキング（たとえば、ＣＲＣが、ＵＥに対応するＲＮＴＩの各それぞれのビットを用いて、論理演算、たとえば、ＡＮＤ、ＯＲまたはＸＯＲとしてビット単位で実行される）などに基づいて）ＵＥ５１５のためのＵＬＬ通信をアクティブ化／非アクティブ化することを可能にする。したがって、本態様は、レガシー制御チャネルを使用してＵＬＬの高速アクティブ化／非アクティブ化を可能にすることができ、１次セル（たとえば、基地局５０５によって与えられるセル）、２次セル（たとえば、基地局５０５または別の基地局によって与えられる別のセル）などのために実行され得る。その上、この例では、レガシー制御チャネルは、同様に、ＣＳＳおよび／またはＵＥ固有探索空間からのものであり得る。
【００５７】
[0063]別の例では、本態様は、第２のＴＴＩのために設計されたいくつかの制御チャネルが、（たとえば、対応するＤＣＩのビットに基づいて）ＵＥ５１５のためのＵＬＬ通信をアクティブ化／非アクティブ化するために使用されることを可能にする。一例として、ＵＬＬ通信は２段許可によってスケジュールされ得る。第１段許可は、あまり動的に変更されないスケジューリングパラメータ（たとえば、変調およびコーディング方式（ＭＣＳ）、電力制御コマンドなど）を含み得、第２段許可は、より動的に変更されるスケジューリングパラメータ（たとえば、リソース割振り、トランスポートブロックサイズなど）を含み得る。アクティブ化／非アクティブ化ＵＬＬは、第１段許可中の指示に基づき得る。ＵＬＬのアクティブ化／非アクティブ化は、ダウンリンクとアップリンクの両方のためのものであるか、またはそれらのうちの一方のためのものであり得る。別の例として、ＵＥは、アップリンクにおける指示を送信することによってＵＬＬアクティブ化／非アクティブ化を支援し得る。たとえば、１つまたは複数のビットが、ＵＥによって、ＤＬ  ＵＬＬおよび／またはＵＬ  ＵＬＬまたはその両方のアクティブ化／非アクティブ化を示すために、ＰＵＣＣＨまたはＰＵＳＣＨ中に含まれ得る。さらに、ＰＤＣＣＨを使用するＤＬ許可が、ダウンリンクＵＬＬおよび／またはアップリンクＵＬＬをアクティブ化し得る。代替的に、一例では、ＰＤＣＣＨを使用するＤＬ許可が、ダウンリンクＵＬＬのみをアクティブ化し得、ＰＤＣＣＨを使用するＵＬ許可が、アップリンクＵＬＬのみをアクティブ化し得る。ＵＬＬのアクティブ化／非アクティブ化は、同じキャリアのためのものであり得る。ＵＬＬのアクティブ化／非アクティブ化は、同様に、異なるキャリアのためのものであり得る（たとえば、クロスキャリアＵＬＬアクティブ化／非アクティブ化）。
【００５８】
[0064]図６〜図８を参照すると、態様は、本明細書で説明されるアクションまたは機能を実行し得る１つまたは複数の構成要素および１つまたは複数の方法に関して示される。一態様では、本明細書で使用される「構成要素」という用語は、システムを構成する部分のうちの１つであり得、ハードウェアまたはソフトウェアまたはそれらの何らかの組合せであり得、他の構成要素に分割され得る。図７および図８において以下で説明される動作は、特定の順序でおよび／または例示的な構成要素によって実行されるものとして提示されるが、アクションの順序およびアクションを実行する構成要素は、実装形態に応じて変更され得ることを理解されたい。その上、以下のアクションまたは機能は、特別にプログラムされたプロセッサ、特別にプログラムされたソフトウェアまたはコンピュータ可読媒体を実行するプロセッサによって、あるいは説明されるアクションまたは機能を実施することが可能なハードウェア構成要素および／またはソフトウェア構成要素の任意の他の組合せによって実施され得ることを理解されたい。
【００５９】
[0065]システム６００は、ワイヤレスネットワークにアクセスするためにｅＮＢ６０４と通信するＵＥ６０２を含み、それの例は、図１〜図３および図５において上記で説明された（たとえば、アクセスポイント１０５、ｅＮＢ２０４、２０８、ｅＮＢ３１０、基地局５０５、ＵＥ１１５、２０６、３５０、５１５など）。一態様では、ｅＮＢ６０４およびＵＥ６０２は、キャリアアグリゲーションを使用して複数のＣＣ６０８、６０９（および／または追加のＣＣ）を介して通信することができる。各ＣＣ６０８、６０９について、たとえば、ｅＮＢ６０４およびＵＥ６０２は、それを介してダウンリンク信号を通信するための１つまたは複数のダウンリンクチャネルを確立していることがあり、ダウンリンク信号は、構成された通信リソース上でｅＮＢ６０４からＵＥ６０２に（たとえば、シグナリングにおいて）制御および／またはデータメッセージを通信するために、（たとえば、トランシーバ６５６を介して）ｅＮＢ６０４によって送信され、（たとえば、トランシーバ６０６を介して）ＵＥ６０２によって受信され得る。その上、たとえば、ｅＮＢ６０４およびＵＥ６０２は、各ＣＣ６０８、６０９のためのアップリンク信号を介してそれの上で通信するための１つまたは複数のアップリンクチャネルを確立していることがあり、アップリンク信号は、構成された通信リソース上でＵＥ６０２からｅＮＢ６０４に（たとえば、シグナリングにおいて）制御および／またはデータメッセージを通信するために、（たとえば、トランシーバ６０６を介して）ＵＥ６０２によって送信され、（たとえば、トランシーバ６５６を介して）ｅＮＢ６０４によって受信され得る。別の例では、この図には示されていないが、ＵＥ６０２は、１つのＣＣ６０８を介してｅＮＢ６０４と通信し、別のＣＣ６０９を介して別のｅＮＢ（またはｅＮＢ６０４によって与えられる別のセル）と通信し得、複数のＣＣを介して両方のｅＮＢ（またはセル）と通信し得る、などである。その上、たとえば、ＵＥ６０２および／またはｅＮＢ６０４は、キャリアアグリゲーションおよび／または多重接続性において、ＰＣｅｌｌ  ＣＣとして１つのＣＣ６０８を構成し、ＳＣｅｌｌ  ＣＣとして１つまたは複数の他のＣＣ６０９を構成することができる。さらに、一例では、各ＣＣ６０８および／または６０９は、別個のアップリンクＣＣとダウンリンクＣＣとを含むＣＣのセットであり得る。
【００６０】
[0066]その上、たとえば、ｅＮＢ６０４は、関連するデータリソースの共存を可能にするためにリソース要素レベル多重化またはリソースブロックレベル多重化を実行することによって、たとえば、（たとえば、レガシーワイヤレス技術に関連する）第１のＴＴＩと（たとえば、ＵＬＬワイヤレス技術に関連する）第２のＴＴＩの一方または両方を使用して、ＵＥ６０２がオーバージエアでそれと通信することを可能にするために、リソースをスケジュールし得る。たとえば、ｅＮＢ６０４は、ＵＥ６０２にリソース許可６８０を通信し得、ここで、そのような通信は、上記でおよび本明細書で説明されたように、レガシーまたはＵＬＬ  ＴＴＩに基づいてリソースを許可する制御チャネルを送信することを含み得る。たとえば、ＵＬＬ  ＴＴＩをスケジュールすることに関係する態様では、リソース許可６８０は、（たとえば、リソース許可６８０のスクランブリング、リソース許可６８０に適用されるＣＲＣ、ＤＣＩフォーマットおよび／あるいはそれの１つまたは複数の関係するビットまたは他の値などに基づいて）ＵＥ６０２による使用のためにＵＬＬリソースをスケジュールする１つまたは複数のリソースを含む制御領域（たとえば、ＰＤＣＣＨ）を有する制御チャネル送信に対応し得る。したがって、ＵＥ６０２は、本明細書で説明されるように、リソース許可６８０の態様に基づいて、制御チャネル送信の制御領域中でスケジュールされた（たとえば、ページング、ランダムアクセスプロシージャ、システム情報ブロードキャスト、あるいは他のブロードキャストまたはユニキャストリソースのための）ＵＬＬリソースを決定することができる。
【００６１】
[0067]一態様では、ＵＥ６０２は、１つまたは複数のプロセッサ６０３および／またはメモリ６０５を含み得、１つまたは複数のプロセッサ６０３および／またはメモリ６０５は、たとえば、１つまたは複数のバス６０７を介して通信可能に結合され得、ＵＬＬタイムライン（たとえば、図４におけるタイムライン４００、４０２など、持続時間においてサブフレームよりも小さいＴＴＩを有するタイムライン）、レガシータイムライン（たとえば、１ｍｓサブフレームＴＴＩをもつタイムライン）などに基づき得る、ｅＮＢ６０４からのリソースのスケジューリングを受信することと、リソースを介して通信することとを行うための通信構成要素３６１とともに動作するか、またはさもなければそれを実装し得る。たとえば、本明細書で説明される通信構成要素３６１に関係する様々な動作は、１つまたは複数のプロセッサ６０３によって実装されるか、またはさもなければ実行され得、一態様では、単一のプロセッサによって実行され得、他の態様では、動作のうちの異なるものは２つまたはそれ以上の異なるプロセッサの組合せによって実行され得る。たとえば、一態様では、１つまたは複数のプロセッサ６０３は、モデムプロセッサ、またはベースバンドプロセッサ、またはデジタル信号プロセッサ、または特定用途向け集積回路（ＡＳＩＣ）、または送信プロセッサ、受信プロセッサ、またはトランシーバ６０６に関連するトランシーバプロセッサのうちのいずれか１つまたは任意の組合せを含み得る。さらに、たとえば、メモリ６０５は、限定はしないが、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、磁気ストレージデバイス（たとえば、ハードディスク、フロッピーディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、レジスタ、リムーバブルディスク、ならびにコンピュータまたは１つまたは複数のプロセッサ６０３によってアクセスされ、読み取られ得るソフトウェアおよび／またはコンピュータ可読コードまたは命令を記憶するための任意の他の好適な媒体を含む非一時的コンピュータ可読媒体であり得る。その上、メモリ６０５またはコンピュータ可読記憶媒体は、１つまたは複数のプロセッサ６０３中に存在する、１つまたは複数のプロセッサ６０３の外部にある、１つまたは複数のプロセッサ６０３を含む複数のエンティティにわたって分散される、などであり得る。
【００６２】
[0068]特に、１つまたは複数のプロセッサ６０３および／またはメモリ６０５は、通信構成要素３６１またはそれの副構成要素によって定義されたアクションまたは動作を実行し得る。たとえば、１つまたは複数のプロセッサ６０３および／またはメモリ６０５は、制御チャネルがＵＥ６０２のためのＤＣＩまたは他の制御データを含むかどうかを決定するために、ｅＮＢ６０４によって送信された制御チャネルを監視するための制御チャネル監視構成要素６１０によって定義されたアクションまたは動作を実行し得る。一態様では、たとえば、制御チャネル監視構成要素６１０は、ハードウェア（たとえば、１つまたは複数のプロセッサ６０３の１つまたは複数のプロセッサモジュール）、および／あるいはメモリ６０５に記憶され、本明細書で説明される特別に構成された制御チャネル監視動作を実行するために１つまたは複数のプロセッサ６０３のうちの少なくとも１つによって実行可能なコンピュータ可読コードまたは命令を含み得る。さらに、たとえば、１つまたは複数のプロセッサ６０３および／またはメモリ６０５は、ＵＥ６０２のための制御データを処理するための制御データ処理構成要素６１２によって定義されたアクションまたは動作を実行し得る。一態様では、たとえば、制御データ処理構成要素６１２は、ハードウェア（たとえば、１つまたは複数のプロセッサ６０３の１つまたは複数のプロセッサモジュール）、および／あるいはメモリ６０５に記憶され、本明細書で説明される特別に構成された制御データ処理動作を実行するために１つまたは複数のプロセッサ６０３のうちの少なくとも１つによって実行可能なコンピュータ可読コードまたは命令を含み得る。
【００６３】
[0069]さらに、たとえば、１つまたは複数のプロセッサ６０３および／またはメモリ６０５は、制御データによって示されたリソースを介して受信されたデータを処理するためのデータ処理構成要素６１４によって定義されたアクションまたは動作を随意に実行し得る。一態様では、たとえば、データ処理構成要素６１４は、ハードウェア（たとえば、１つまたは複数のプロセッサ６０３の１つまたは複数のプロセッサモジュール）、および／あるいはメモリ６０５に記憶され、本明細書で説明される特別に構成されたデータ処理動作を実行するために１つまたは複数のプロセッサ６０３のうちの少なくとも１つによって実行可能なコンピュータ可読コードまたは命令を含み得る。さらに、たとえば、１つまたは複数のプロセッサ６０３および／またはメモリ６０５は、制御チャネルを介して受信されたＤＣＩをデスクランブルするためのＤＣＩデスクランブリング構成要素６１６によって定義されたアクションまたは動作を随意に実行し得る。一態様では、たとえば、ＤＣＩデスクランブル構成要素６１６は、ハードウェア（たとえば、１つまたは複数のプロセッサ６０３の１つまたは複数のプロセッサモジュール）、および／あるいはメモリ６０５に記憶され、本明細書で説明される特別に構成されたＤＣＩデスクランブル動作を実行するために１つまたは複数のプロセッサ６０３のうちの少なくとも１つによって実行可能なコンピュータ可読コードまたは命令を含み得る。
【００６４】
[0070]同様に、一態様では、ｅＮＢ６０４は、１つまたは複数のプロセッサ６５３および／またはメモリ６５５を含み得、１つまたは複数のプロセッサ６５３および／またはメモリ６５５は、たとえば、１つまたは複数のバス６５７を介して通信可能に結合され得、本明細書で説明されるように、ＵＬＬタイムライン（たとえば、図４におけるタイムライン４００、４０２など、持続時間においてサブフレームよりも小さいＴＴＩを有するタイムライン）、レガシータイムライン（たとえば、１ｍｓサブフレームＴＴＩをもつタイムライン）などに基づき得る、ＵＥ６０２および／または他のＵＥのためのリソースのスケジューリングを生成することを行うためのスケジューリング構成要素３０２とともに動作するかさもなければそれを実装し得る。たとえば、スケジューリング構成要素３０２に関係する様々な機能は、１つまたは複数のプロセッサ６５３によって実装されるか、またはさもなければ実行され得、一態様では、単一のプロセッサによって実行され得、他の態様では、上記で説明されたように、機能のうちの異なるものは２つまたはそれ以上の異なるプロセッサの組合せによって実行され得る。一例では、１つまたは複数のプロセッサ６５３および／またはメモリ６５５は、ＵＥ６０２の１つまたは複数のプロセッサ６０３および／またはメモリ６０５に関して上記の例に記載されているように構成され得ることを諒解されたい。
【００６５】
[0071]一例では、１つまたは複数のプロセッサ６５３および／またはメモリ６５５は、スケジューリング構成要素３０２またはそれの副構成要素によって定義されたアクションまたは動作を実行し得る。たとえば、１つまたは複数のプロセッサ６５３および／またはメモリ６５５は、１つまたは複数のＵＥに制御チャネルを送信するための制御チャネル送信構成要素６３０によって定義されたアクションまたは動作を実行し得る。一態様では、たとえば、制御チャネル送信構成要素６３０は、ハードウェア（たとえば、１つまたは複数のプロセッサ６５３の１つまたは複数のプロセッサモジュール）、および／あるいはメモリ６５５に記憶され、本明細書で説明される特別に構成された制御チャネル送信動作を実行するために１つまたは複数のプロセッサ６５３のうちの少なくとも１つによって実行可能なコンピュータ可読コードまたは命令を含み得る。さらに、たとえば、１つまたは複数のプロセッサ６５３および／またはメモリ６５５は、制御チャネルを介して送信された制御データ中のＵＥのためのデータリソースをスケジュールするためのデータリソーススケジューリング構成要素６３２によって定義されたアクションまたは動作を実行し得る。一態様では、たとえば、データリソーススケジューリング構成要素６３２は、ハードウェア（たとえば、１つまたは複数のプロセッサ６５３の１つまたは複数のプロセッサモジュール）、および／あるいはメモリ６５５に記憶され、本明細書で説明される特別に構成されたデータリソーススケジューリング動作を実行するために１つまたは複数のプロセッサ６５３のうちの少なくとも１つによって実行可能なコンピュータ可読コードまたは命令を含み得る。さらに、たとえば、１つまたは複数のプロセッサ６５３および／またはメモリ６５５は、ＵＥのためのデータリソースのスケジューリングを示すＤＣＩを生成するためのＤＣＩ生成構成要素６３４によって定義されたアクションまたは動作を随意に実行し得る。一態様では、たとえば、ＤＣＩ生成構成要素６３４は、ハードウェア（たとえば、１つまたは複数のプロセッサ６５３の１つまたは複数のプロセッサモジュール）、および／あるいはメモリ６５５に記憶され、本明細書で説明される特別に構成されたＤＣＩ生成動作を実行するために１つまたは複数のプロセッサ６５３のうちの少なくとも１つによって実行可能なコンピュータ可読コードまたは命令を含み得る。
【００６６】
[0072]トランシーバ６０６、６５６は、１つまたは複数のアンテナ、ＲＦフロントエンド、１つまたは複数の送信機、および１つまたは複数の受信機を通してワイヤレス信号を送信および受信するように構成され得ることを諒解されたい。一態様では、トランシーバ６０６、６５６は、ＵＥ６０２および／またはｅＮＢ６０４がある周波数において通信することができるように、指定された周波数において動作するように同調させられ得る。一態様では、１つまたは複数のＣＣにわたる関係するアップリンク通信チャネルまたはダウンリンク通信チャネルを介して、アップリンク信号および／またはダウンリンク信号を通信するために、構成、通信プロトコルなどに基づいて、指定された周波数および電力レベルにおいて動作するように、１つまたは複数のプロセッサ６０３がトランシーバ６０６を構成し得、および／または１つまたは複数のプロセッサ６５３がトランシーバ６５６を構成し得る。
【００６７】
[0073]一態様では、トランシーバ６０６、６５６は、トランシーバ６０６、６５６を使用して送信および受信されるデジタルデータを処理するように（たとえば、図示されていないマルチバンドマルチモードモデムを使用して）複数の帯域中で動作することができる。一態様では、トランシーバ６０６、６５６は、マルチバンドであり、特定の通信プロトコルのための複数の周波数帯域をサポートするように構成され得る。一態様では、トランシーバ６０６、６５６は、複数の動作ネットワークおよび通信プロトコルをサポートするように構成され得る。したがって、たとえば、トランシーバ６０６、６５６は、指定されたモデム構成に基づいて信号の送信および／または受信を可能にし得る。
【００６８】
[0074]図７は、第１のＴＴＩのデータリソースに関連する制御チャネルを介した第２のＴＴＩに基づくデータリソースのスケジューリングを（たとえば、ＵＥによって）決定するための例示的な方法７００を示す。ブロック７０２において、ＵＥ６０２は、第１のＴＴＩの第１のデータリソースに関連する制御チャネルを監視する。一態様では、たとえば、（１つまたは複数の）プロセッサ６０３、メモリ６０５、および／またはトランシーバ６０６とともに、制御チャネル監視構成要素６１０は、第１のＴＴＩの第１のデータリソースに関連する制御チャネルを監視することができる。たとえば、制御チャネルは、ＰＤＣＣＨ、ｅＰＤＣＣＨなど、レガシーＬＴＥ制御チャネルに対応することができる。制御チャネルは、ｅＮＢ６０４がそれを介してブロードキャスト／マルチキャスト通信を送信することができる、ＣＳＳまたはＵＥ固有探索空間を定義することができ、制御チャネル監視構成要素６１０は、制御チャネルを介して（たとえば、ＣＳＳまたはＵＥ固有探索空間のために定義された知られているまたは構成されたリソースを介して）受信された通信を監視することができる。通信は、（本明細書では一般に「データ」と呼ばれる）追加の制御データおよび／またはユーザプレーンデータを通信するためのリソースを示し得る、ＵＥ６０２のためのまたは他のＵＥのための制御データに関係することができる。さらに、説明されたように、第１のＴＴＩは、レガシーＬＴＥワイヤレス通信によって定義された１ｍｓ  ＴＴＩに対応することができる。
【００６９】
[0075]ブロック７０４において、ＵＥ６０２は、制御チャネルが第２のＴＴＩに基づく第２のデータリソースをスケジュールすると決定する。一態様では、たとえば、（１つまたは複数の）プロセッサ６０３、メモリ６０５、および／またはトランシーバ６０６とともに、制御データ処理構成要素６１２は、制御チャネルが第２のＴＴＩに基づく第２のデータリソースをスケジュールすると決定することができる。たとえば、これは、制御チャネルを介して受信された制御データ中の１つまたは複数のインジケータに基づき得る。その上、制御データ処理構成要素６１２は、制御チャネルまたは後続の制御チャネルが第２のデータリソースをスケジュールするかどうかを決定することができる。
【００７０】
[0076]たとえば、ブロック７０４において制御チャネルが第２のＴＴＩに基づく第２のデータリソースをスケジュールすると決定する際に、ＵＥは、随意に、ブロック７０６において、ＲＮＴＩに基づいて制御チャネル中のＤＣＩをデスクランブルする。一態様では、制御データ処理構成要素６１２は、たとえば、（１つまたは複数の）プロセッサ６０３、メモリ６０５、および／またはトランシーバ６０６とともに、ＲＮＴＩに基づいて制御チャネル中のＤＣＩをデスクランブルすることができる、ＤＣＩデスクランブリング構成要素６１６を随意に含み得る。この点について、ＤＣＩデスクランブリング構成要素６１６は、ＵＥ６０２の１つまたは複数のＲＮＴＩを使用して、制御チャネルを介して受信された制御データをデスクランブルすることを試み得る。説明されたように、ＵＥ６０２は、Ｐ−ＲＮＴＩ、ＲＡ−ＲＮＴＩ、ＳＩ−ＲＮＴＩなど、異なるタイプのブロードキャストデータのためのＲＮＴＩを有し得る。たとえば、ＵＥ６０２は、（たとえば、ブロードキャストまたは専用シグナリングにおいて）ｅＮＢ６０４から受信された１つまたは複数のパラメータ、ＵＥ６０２において構成された１つまたは複数のパラメータなどに基づいて、１つまたは複数の異なるタイプのブロードキャストデータの各々のためのＲＮＴＩを受信するか、またはさもなければ生成し得る。特定の一例では、ＵＥ６０２は、サブフレームインデックスに少なくとも部分的に基づいてＲＮＴＩのうちの１つまたは複数を生成し得る。したがって、ＤＣＩデスクランブリング構成要素６１６は、１つまたは複数のＲＮＴＩを使用して、制御チャネルのＣＳＳ中で検出された制御データをデスクランブルすることを試みることができ、制御データを正常にデスクランブルするＲＮＴＩのタイプに基づいて、関連する制御チャネル（または後続の制御チャネル）中でスケジュールされているデータリソースのタイプを（たとえば、Ｐ−ＲＮＴＩに従ってデスクランブルすることが有効なＤＣＩを生成する場合はページングデータリソース、ＲＡ−ＲＮＴＩに従ってデスクランブルすることが有効なＤＣＩを生成する場合はランダムアクセスデータリソース、ＳＩ−ＲＮＴＩに従ってデスクランブルすることが有効なＤＣＩを生成する場合はシステム情報データリソースに関係するものとして、など）決定し得る。
【００７１】
[0077]別の例では、ブロック７０４において制御チャネルが第２のＴＴＩに基づく第２のデータリソースをスケジュールすると決定する際に、ＵＥは、随意に、ブロック７０８において、ＤＣＩの１つまたは複数のビットまたはＤＣＩのＣＲＣマスクを決定するを含み得る。一態様では、たとえば、（１つまたは複数の）プロセッサ６０３、メモリ６０５、および／またはトランシーバ６０６とともに、制御データ処理構成要素６１２は、ＤＣＩの１つまたは複数のビットまたはＤＣＩのＣＲＣマスクを決定することができ、それらのいずれかまたは両方が、（たとえば、ブロードキャスト／マルチキャストおよび／またはユニキャスト送信のために）第２のＴＴＩに基づく第２のデータリソースがスケジュールされるかどうかを示し得る。説明されたように、ｅＮＢ６０４は、ＤＣＩに基づいてスケジュールされるべきデータリソースが第２のＴＴＩ（あるいは第１のＴＴＩまたは他のＴＴＩ）に基づくデータリソースに対応するかどうかを示すために、ＤＣＩの１つまたは複数のビット（たとえば、ＬＴＥにおけるＤＣＩフォーマット１Ａ中の予約済みＨＡＲＱビット、ＬＴＥにおけるＤＣＩフォーマット１Ａ中のＲＡＣＨ指令のために特に設定された他のビットなど）を使用することができる。別の例では、説明されたように、ｅＮＢ６０４は、ＤＣＩに基づいてスケジュールされるべきデータリソースが第２のＴＴＩ（あるいは第１のＴＴＩまたは他のＴＴＩ）に基づくデータリソースに対応するかどうかを示すために、ＤＣＩのＣＲＣにＣＲＣマスクを適用することができる。いずれの場合も、ＵＥ６０２は、ＤＣＩの１つまたは複数のビット、ＤＣＩのために使用されるＣＲＣマスクなどに基づいて、データリソースのためのＴＴＩを決定することができる。一例では、説明されたように、制御データ処理構成要素６１２は、ＤＣＩの１つまたは複数のビット、ＣＲＣマスクなどに基づいて、１つのシンボル、２つのシンボル、１つのスロットなどの長さのＴＴＩとして、ＴＴＩを決定することができる。
【００７２】
[0078]ブロック７１０において、ＵＥ６０２は、第２のＴＴＩに基づく第２のデータリソースを介して受信されたデータを処理する。一態様では、たとえば、（１つまたは複数の）プロセッサ６０３、メモリ６０５、および／またはトランシーバ６０６とともに、データ処理構成要素６１４は、第２のＴＴＩに基づく第２のデータリソースを介して受信されたデータを処理することができる。たとえば、制御データ処理構成要素６１２は、説明されたように、ＤＣＩまたは他の制御データに対応するデータリソースを決定し、ならびに、データリソースが、第２のＴＴＩに基づく（たとえば、１つのシンボル、２つのシンボル、１つのスロットなどのＴＴＩに基づく）通信のためにスケジュールされると決定することができる。したがって、データ処理構成要素６１４は、第２のＴＴＩの持続時間においてデータリソースを介して受信されたデータを処理することができ、これは、データリソースを介してデータを受信または復号すること、データリソースを介してデータを送信することなどを含み得る。
【００７３】
[0079]特定の例では、上記で説明されたように、制御チャネル監視構成要素６１０は、一般に、ＣＳＳまたはＵＥ固有探索空間中で送信された、第１のＴＴＩに基づくデータリソースをスケジュールするために使用され得る、ＰＤＣＣＨ、ｅＰＤＣＣＨなどを決定するために、制御領域５１０を監視することができる。ＤＣＩデスクランブリング構成要素６１６は、データリソース（たとえば、ユニキャストリソースまたはブロードキャストリソース）のスケジューリングを示す対応するＤＣＩを取得するために、ＵＥ６０２の１つまたは複数のＲＮＩＴを使用して、ＰＤＣＣＨ、ｅＰＤＣＣＨなどの一部分をデスクランブルすることを試みることができる。制御データ処理構成要素６１２は、ＤＣＩから１つまたは複数のビット（たとえば、ＬＴＥにおけるＤＣＩフォーマット１Ａ中の予約済みＨＡＲＱビット、ＬＴＥにおけるＤＣＩフォーマット１Ａ中のＲＡＣＨ指令のために特に設定された他のビットなど）を取得し、および／またはスケジュールされるべきデータリソースが第２のＴＴＩに基づくかどうか（たとえば、データリソースがシンボル５１２中のｕＰＤＳＣＨリソースなどに対応するかどうか）を決定するために対応するＣＲＣマスクを決定することができる。データ処理構成要素６１４は、この点について、データリソースが第２のＴＴＩに基づくと決定することに基づいて、第２のＴＴＩに従うデータリソースを介して受信されたデータを処理することができる。
【００７４】
[0080]ブロック７１２において、ＵＥ６０２は、随意に、データに関係する後続の通信が第２のＴＴＩに基づくかどうかを決定する。一態様では、たとえば、（１つまたは複数の）プロセッサ６０３、メモリ６０５、および／またはトランシーバ６０６とともに、制御データ処理構成要素６１２は、データに関係する後続の通信が第２のＴＴＩに基づくかどうかを決定することができる。説明されたように、たとえば、制御データ処理構成要素６１２は、ＤＣＩ中の１つまたは複数のビット、ＤＣＩのＣＲＣマスク、第２のデータリソースを介して受信されたデータ中の１つまたは複数のビット（たとえば、ＲＡＲまたはＲＡＣＨ指令）などに基づいて、後続の通信が第２のＴＴＩに基づくかどうかを決定することができる。ブロック７１４において、ＵＥ６０２は、随意に、ＴＴＩに基づいて後続の通信を処理する。一態様では、たとえば、（１つまたは複数の）プロセッサ６０３、メモリ６０５、および／またはトランシーバ６０６とともに、データ処理構成要素６１４は、第２のＴＴＩに基づいて（たとえば、後続の通信が第２のＴＴＩに基づくかどうかに基づいて）後続の通信を処理する（たとえば、後続の通信を受信および／または送信する）ことができる。
【００７５】
[0081]たとえば、ＤＣＩの１つまたは複数のビット、あるＣＲＣマスクなどは、関係する後続のアップリンク通信および／またはダウンリンク通信が第２のＴＴＩに基づいてスケジュールおよび／または通信されるべきであるかどうかを示すために使用され得る。特定の例では、ブロック７１０において処理されたデータがランダムアクセスプロシージャに対応する場合、ＤＣＩ中の１つまたは複数のビットは、ランダムアクセスプロシージャにおける１つまたは複数の後続のメッセージ（たとえば、ＲＡＲに関係するメッセージ３）が第２のＴＴＩに基づいて送信されるべきであるかどうかを示し得る。他の例では、データ処理構成要素６１４は、ブロック７１０におけるデータが第２のＴＴＩに基づくと決定することに基づいて、後続の通信が第２のＴＴＩに基づくべきであると仮定し得る。いずれの場合も、データ処理構成要素６１４は、第２のＴＴＩに基づいて（たとえば、同じまたは次の制御領域中で）ｅＮＢ６０４から受信された後続の通信を処理することができる。特定の例では、制御データ処理構成要素６１２は、受信されたＲＡＣＨのビットを、異なるＲＡＣＨプロシージャを示すものとして（たとえば、１ビットが０に設定された場合、第１のＴＴＩに基づいてレガシーＲＡＣＨプロシージャが使用され、または他の場合、第２のＴＴＩに基づいてＲＡＣＨプロシージャが使用されると）決定することができる。たとえば、１つまたは複数のビットは、局所／分散ＶＲＢ割当てフラグ、リソースブロック割当てビット、プリアンブルインデックスビット、ＰＲＡＣＨマスクインデックスビット、またはＤＣＩフォーマット１ＡのＲＡＣＨ指令中の他のビットを含み得る。
【００７６】
[0082]ブロック７１６において、ＵＥ６０２は、随意に、ＤＣＩに基づいて、データに関係するおよび／または後続の通信に関係する追加のパラメータを決定する。一態様では、たとえば、（１つまたは複数の）プロセッサ６０３、メモリ６０５、および／またはトランシーバ６０６とともに、制御データ処理構成要素６１２は、ＤＣＩに基づいて、データに関係するおよび／または後続の通信に関係する追加のパラメータを決定することができる。ブロック７１８において、ＵＥ６０２は、随意に、追加のパラメータに基づいて後続の通信を処理する。一態様では、たとえば、（１つまたは複数の）プロセッサ６０３、メモリ６０５、および／またはトランシーバ６０６とともに、データ処理構成要素６１４は、追加のパラメータに基づいて後続の通信を処理することができる。別の例では、ＵＥ６０２は、ブロック７１６において決定された追加のパラメータに基づいて、ブロック７１０における第２のリソースを介して受信されたデータを処理し得る。
【００７７】
[0083]いずれの場合も、たとえば、ＤＣＩは、追加のパラメータを示すための追加のビット（たとえば、ＬＴＥにおけるＤＣＩフォーマット１Ａ中の予約済みＨＡＲＱビット、ＬＴＥにおけるＤＣＩフォーマット１Ａ中のＲＡＣＨ指令のために特に設定された他のビットなど）を含み得る。追加のパラメータは、（たとえば、異なるＲＥＧ、ＣＣＥなどの中など、制御領域中の、異なるリソースブロックまたは他の時間／周波数リソースなどの中など、後続の制御領域中の）ＤＣＩによってスケジュールされた第２のデータリソースのロケーション、（場合によっては、第２のＴＴＩ持続時間の１つまたは複数のＴＴＩであると仮定され得る）ＤＣＩによってスケジュールされた第２のデータリソースの持続時間、またはデータリソースを介して受信されたデータに対応するプロシージャに関係する他のパラメータ（たとえば、ＲＡＣＨプロシージャに関係する他のパラメータ）を指定し得る。この例では、データ処理構成要素６１４は、追加のパラメータに基づいて、ｅＮＢ６０４への／からの後続のデータ通信を処理し（たとえば、ＤＣＩ中のビット、ＤＣＩのＣＲＣマスクなどに基づいて、ＤＣＩによってスケジュールされた第２のデータリソースのロケーション、第２のデータリソースの持続時間などを決定し）得る。一例では、追加のパラメータは、ＵＥ６０２が、それの後に通信が送信されないと仮定し得る、後続の関係する通信を検出するためのタイマーを含み得る。たとえば、タイマーはランダムアクセスプロシージャにおけるメッセージ４に対応することができ、したがって、タイマーが満了すると、データ処理構成要素６１４は、メッセージ４が受信されないと仮定することができ、ランダムアクセスプロシージャをキャンセルするか、またはさもなければ再仲介し得る。別の例では、タイマーは、説明されたように、（たとえば、ランダムアクセスプロシージャにおけるメッセージ３の場合）データリソースを介して受信されたデータに応答するための応答ウィンドウサイズなどに関係し得、その後に、データ処理構成要素６１４は、対応するデータが受信されないと仮定することができ、他の再仲介措置を報告するかまたはとり得る。
【００７８】
[0084]ブロック７２０において、ＵＥ６０２は、随意に、制御チャネル中の指示に基づいて、ＵＬＬ通信をアクティブ化または非アクティブ化し得る。一態様では、たとえば、（１つまたは複数の）プロセッサ６０３、メモリ６０５、および／またはトランシーバ６０６とともに、通信構成要素３６１は、制御チャネル中の指示に基づいて、ＵＬＬ通信をアクティブ化または非アクティブ化することができる。これは、通信構成要素３６１が、第２のＴＴＩに基づく通信（たとえば、ＵＬＬ通信）のスケジューリングを検出することを試みることを控えること、ＵＬＬ通信のためにスケジュールされたリソースを介してデータを送信または受信することを控えることなどを含み得る。したがって、一例では、ｅＮＢ６０４は、ＵＬＬ通信のアクティブ化／非アクティブ化を示すために、レガシーＬＴＥ制御領域（たとえば、ＤＣＩ）中の制御データを使用することができる。たとえば、ｅＮＢ６０４は、（たとえば、ＵＥ６０２のＰＣｅｌｌなどとしての）ｅＮＢ６０４からの、他のｅＮＢ／セル（たとえば、ＵＥ６０２のＳＣｅｌｌ）などからのＵＬＬ通信をアクティブ化／非アクティブ化するために、レガシーＬＴＥ制御領域（たとえば、ＤＣＩ）中の制御データを使用し得る。
【００７９】
[0085]一例では、ＵＥ６０２のためのＵＬＬ通信をアクティブ化／非アクティブ化するために、第２のＴＴＩに基づく制御チャネルがさらに使用され得る。たとえば、ＤＣＩ生成構成要素６３４は、ＵＬＬ通信をアクティブ化／非アクティブ化するために第２のＴＴＩに基づく追加の制御チャネルが使用されていることを示すように、ビット（および／またはＣＲＣマスク）をもつＤＣＩを生成することができる。たとえば、説明されたように、ＵＬＬ通信は、２段許可によってスケジュールされ得、ここで、第１段許可が、あまり動的に変更されないスケジューリングパラメータ（たとえば、変調およびコーディング方式（ＭＣＳ）、電力制御コマンドなど）を含み得、第２段許可が、より動的に変更されるスケジューリングパラメータ（たとえば、リソース割振り、トランスポートブロックサイズなど）を含み得る。ＤＣＩ生成構成要素６３４は、たとえば、ＵＬＬの第１段許可のアクティブ化／非アクティブ化を示すように、ＤＣＩを生成することができる。さらに、たとえば、ＤＣＩは、ダウンリンク通信またはアップリンク通信のうちの１つまたは複数のためのＵＬＬのアクティブ化／非アクティブ化を示すことができる。したがって、たとえば、通信構成要素３６１は、ＤＣＩによって示されたような第１段許可のアクティブ化／非アクティブ化に基づいて、ＵＬＬをアクティブ化すべきであるのか非アクティブ化すべきであるのかを決定することができる。別の例では、通信構成要素３６１は、ｅＮＢ６０４にＵＬＬアクティブ化／非アクティブ化のための指示または要求を送信し得る。たとえば、通信構成要素３６１は、ＵＥ６０２によって、ＤＬ  ＵＬＬおよび／またはＵＬ  ＵＬＬあるいはそれらの両方のアクティブ化／非アクティブ化を示すために、ＰＵＣＣＨまたはＰＵＳＣＨ中に１つまたは複数のビットを含めることができる。別の例では、ＤＣＩはダウンリンクＵＬＬをアクティブ化し得、ＰＤＣＣＨを使用するＵＬ許可は、アップリンクＵＬＬをアクティブ化し得る。ＤＣＩまたはＵＬ許可は、説明されたように、同じまたは異なるキャリアのためのＵＬＬのアクティブ化／非アクティブ化を示し得る。
【００８０】
[0086]図８は、第１のＴＴＩのデータリソースに関連する制御チャネルを介して第２のＴＴＩに基づくデータリソースのスケジューリングを（たとえば、ｅＮＢによって）示すための例示的な方法８００を示す。ブロック８０２において、ｅＮＢ６０４は、第１のＴＴＩの第１のデータリソースに関連する制御チャネルを送信する。一態様では、たとえば、（１つまたは複数の）プロセッサ６５３、メモリ６５５、および／またはトランシーバ６５６とともに、制御チャネル送信構成要素６３０は、第１のＴＴＩの第１のデータリソースに関連する制御チャネルを送信することができる。説明されたように、第１のＴＴＩは、レガシーＬＴＥ通信（たとえば、１ｍｓ  ＴＴＩ）に対応することができ、したがって、制御チャネルは、データ通信をスケジュールするためのＰＤＣＣＨ、ｅＰＤＣＣＨなどを含むことができる。その上、たとえば、制御チャネルは、ＬＴＥにおける１ｍｓ  ＴＴＩの最初の１〜３つのシンボルを占有することができる。
【００８１】
[0087]ブロック８０４において、ｅＮＢ６０４は、制御チャネル中の第２のＴＴＩに基づく第２のデータリソースのスケジューリングを示す。一態様では、たとえば、（１つまたは複数の）プロセッサ６５３、メモリ６５５、および／またはトランシーバ６５６とともに、データリソーススケジューリング構成要素６３２は、制御チャネル中の第２のＴＴＩに基づく第２のデータリソースのスケジューリングを示すことができる。たとえば、データリソーススケジューリング構成要素６３２は、データリソースをスケジュールすることに関係する制御データを生成することができ、データリソースが第２のＴＴＩに基づくことを指定するインジケータを含めることができる。一例では、ブロック８０４において第２のＴＴＩに基づく第２のデータリソースのスケジューリングを示す際に、ｅＮＢ６０４は、随意に、ブロック８０６において、制御チャネル中の第２のデータリソースのスケジューリングを示すＤＣＩをスクランブルする。たとえば、データリソーススケジューリング構成要素６３２は、たとえば、（１つまたは複数の）プロセッサ６５３、メモリ６５５、および／またはトランシーバ６５６とともに、ＵＥ６０２のためのデータリソースをスケジュールするためのＤＣＩを生成し、ＵＥ６０２の１つまたは複数のＲＮＴＩに基づいて（および／またはＰ−ＲＮＴＩ、ＲＡ−ＲＮＴＩ、ＳＩ−ＲＮＴＩなど、リソースを介して通信されるべきデータのタイプに基づいて）ＤＣＩをスクランブルするためのＤＣＩ生成構成要素６３４を随意に含むことができる。
【００８２】
[0088]その上、一例では、ブロック８０４において第２のＴＴＩに基づく第２のデータリソースのスケジューリングを示す際に、ｅＮＢ６０４は、随意に、ブロック８０８において、ＤＣＩの１つまたは複数のビットまたはＤＣＩのＣＲＣマスク中で第２のデータリソースのスケジューリングを示す。一態様では、たとえば、（１つまたは複数の）プロセッサ６５３、メモリ６５５、および／またはトランシーバ６５６とともに、データリソーススケジューリング構成要素６３２は、ＤＣＩの１つまたは複数のビットまたはＤＣＩのＣＲＣマスク中で第２のデータリソースのスケジューリングを示すことができる。したがって、説明されたように、データリソーススケジューリング構成要素６３２は、ＤＣＩ中の１つまたは複数のビットを利用することによって、第２のデータリソースが第２のＴＴＩ（あるいは第１のＴＴＩまたは他のＴＴＩ）に基づくことを指定することができる。詳細には、いくつかの例では、ＤＣＩ中の１つまたは複数のビットは、ＬＴＥにおけるＤＣＩフォーマット１Ａ中の予約済みＨＡＲＱビット、ＬＴＥにおけるＤＣＩフォーマット１Ａ中のＲＡＣＨ指令のために特に設定された他のビットなどに対応し得る。別の例では、データリソーススケジューリング構成要素６３２は、ＤＣＩのためのＣＲＣにマスクを適用することができ、ここで、ＣＲＣのために選択されるマスクは、第２のデータリソースが第２のＴＴＩ（あるいは第１のＴＴＩまたは他のＴＴＩ）に基づくことを示すために選択され得る。したがって、いずれの場合も、説明されたように、ＵＥ６０２は、一般に、第１のＴＴＩに対応するデータリソースをスケジュールするために使用される、レガシーワイヤレス技術の制御チャネルを介して受信されたＵＥ６０２のためのＤＣＩに関係する情報に基づいて、スケジュールされたデータリソースが第２のＴＴＩに基づくリソースに対応すると決定することができる。この点について、説明されたように、ＵＥ６０２は、第２のＴＴＩに基づくリソースを介して受信されたデータを受信または復号し得、ここで、リソースが第２のＴＴＩに対応すると決定される。
【００８３】
[0089]ブロック８１０において、ｅＮＢ６０４は、第２のＴＴＩに基づく第２のデータリソースを介してデータを送信する。一態様では、たとえば、（１つまたは複数の）プロセッサ６５３、メモリ６５５、および／またはトランシーバ６５６とともに、スケジューリング構成要素３０２は、第２のＴＴＩに基づく第２のデータリソースを介してデータを送信することができる。たとえば、スケジューリング構成要素３０２は、第２のデータリソースが第２のＴＴＩに基づくことを示すことに基づいて、後続の制御チャネル領域中で（たとえば、次のサブフレーム中で）、データ領域中でなど、第２のＴＴＩに基づく制御チャネル領域中のデータを送信し得る。その上、スケジューリング構成要素３０２は、データが第２のＴＴＩのＴＴＩ長（たとえば、１つのシンボル、２つのシンボル、１つのスロットなど）のものであるように、第２のＴＴＩに基づくデータを送信することができる。
【００８４】
[0090]特定の例では、上記で説明されたように、制御チャネル送信構成要素６３０は、一般に、ＣＳＳまたはＵＥ固有探索空間中で第１のＴＴＩに基づくデータリソースをスケジュールするために使用され得る、ＰＤＣＣＨ、ｅＰＤＣＣＨなどとして、制御領域５１０中の制御チャネルを送信することができる。一例では、ＤＣＩ生成構成要素６３４は、第２のＴＴＩに基づくデータリソース（たとえば、ユニキャストまたはブロードキャストデータリソース）（たとえば、シンボル５１２中のｕＰＤＳＣＨリソース）をスケジュールするために、ＵＥ６０２のためのＤＣＩを生成することができ、これは、ＤＣＩの１つまたは複数のビット、ＤＣＩに適用されるＣＲＣマスクなどの中でデータリソースが第２のＴＴＩに基づくことを示すことを含み得る。さらに、一例では、データリソーススケジューリング構成要素６３２は、説明されたように、ＵＥ６０２のＲＮＴＩおよび／またはデータリソースを介して通信されるべきデータのタイプ（たとえば、Ｐ−ＲＮＴＩ、ＲＡ−ＲＮＴＩ、ＳＩ−ＲＮＴＩなど）に基づいてＤＣＩをスクランブルすることができ、スケジューリング構成要素３０２は、制御チャネル中のＤＣＩを送信することができる。したがって、ＵＥ６０２は、データを受信することができ、上記で説明されたように、１つまたは複数のＲＮＴＩに従ってＤＣＩをデスクランブルすることに少なくとも部分的に基づいて、データが第２のＴＴＩに対応すると決定することができる。したがって、ＵＥ６０２は、第２のＴＴＩおよび／またはデータの決定されたタイプ（たとえば、ページング信号、ＲＡＲ信号、ＳＩ信号など）に基づいて、データを処理することができる。
【００８５】
[0091]ブロック８１２において、ｅＮＢ６０４は、随意に、データに関係する後続の通信が第２のＴＴＩに基づくかどうかを示す。一態様では、たとえば、（１つまたは複数の）プロセッサ６５３、メモリ６５５、および／またはトランシーバ６５６とともに、データリソーススケジューリング構成要素６３２は、データに関係する後続の通信が第２のＴＴＩに基づくかどうかを示すことができる。たとえば、データリソーススケジューリング構成要素６３２は、後続の通信が第２のＴＴＩに基づくかどうかを示すために、たとえば、ＤＣＩ中の１つまたは複数の追加のビット、スケジュールされた第２のデータリソースを介して送信されたデータ中の１つまたは複数のビットなどを利用することができる。さらに、一例では、データリソーススケジューリング構成要素６３２は、データのプロシージャに関係する１つまたは複数の後続の通信が第２のＴＴＩに基づくべきであるかどうかを示すことができる。特定の例では、データリソーススケジューリング構成要素６３２は、第２のデータリソースを介したデータ中のＲＡＲ許可中で、ＲＡＣＨプロシージャにおける後続のメッセージ（たとえば、メッセージ３）が第２のＴＴＩに基づくリソース（たとえば、ｕＰＵＳＣＨリソース）を介して送信されるべきであるかどうかを示すことができる。
【００８６】
[0092]ブロック８１４において、ｅＮＢ６０４は、随意に、ＤＣＩ中で、データに関係するおよび／または後続の通信に関係する追加のパラメータを示す。一態様では、たとえば、（１つまたは複数の）プロセッサ６５３、メモリ６５５、および／またはトランシーバ６５６とともに、データリソーススケジューリング構成要素６３２は、データおよび／または後続の通信に関係する追加のパラメータを示すために、たとえば、ＤＣＩの１つまたは複数のビットを変更することができる。たとえば、データリソーススケジューリング構成要素６３２は、説明されたように、（たとえば、制御領域内またはそれの外の）データリソースのロケーション、（代替的に１つまたは複数のＴＴＩであると仮定され得る）データリソースの持続時間、またはデータリソースを介して受信されたデータに対応するプロシージャに関係する他のパラメータ（たとえば、ＲＡＣＨプロシージャに関係する他のパラメータ）を示すために、ＬＴＥにおけるＤＣＩフォーマット１Ａ中の予約済みＨＡＲＱビット、ＬＴＥにおけるＤＣＩフォーマット１Ａ中のＲＡＣＨ指令のために特に設定された他のビットなどを変更することができる。たとえば、追加のパラメータは、説明されたように、後続の関係する通信（たとえば、ランダムアクセスプロシージャにおけるメッセージ４）を検出するためのタイマー、（たとえば、ランダムアクセスプロシージャにおけるメッセージ３のための）データリソースを介して受信されたデータに応答するための応答ウィンドウサイズなどを含み得る。いずれの場合も、説明されたように、ＵＥ６０２は、ＤＣＩ中の１つまたは複数のビットに基づいて、追加のパラメータを決定することができ、したがって、データ、および／または後続のデータリソースを介して送信された後続のデータを処理することができる。
【００８７】
[0093]ブロック８１６において、ｅＮＢ６０４は、制御チャネル中のＵＬＬ通信のアクティブ化または非アクティブ化を示す。一態様では、たとえば、（１つまたは複数の）プロセッサ６５３、メモリ６５５、および／またはトランシーバ６５６とともに、データリソーススケジューリング構成要素６３２は、制御チャネル中のＵＬＬ通信のアクティブ化または非アクティブ化を示すことができる。たとえば、アクティブ化および／または非アクティブ化は、説明されたように、ＤＣＩの１つまたは複数のビットを使用して示され得る。さらに、たとえば、アクティブ化および／または非アクティブ化は、１次セルまたは１つまたは複数の２次セルに対応し得る。したがって、一例では、ｅＮＢ６０４は、（たとえば、ｅＮＢ６０４または別のｅＮＢによって与えられた）ＰＣｅｌｌおよび／またはＳＣｅｌｌのためのＵＬＬ通信のアクティブ化／非アクティブ化を示すために、レガシーＬＴＥ制御領域中の制御データ（たとえば、ＤＣＩ）を使用することができ、ＰＣｅｌｌまたはＳＣｅｌｌなどの中でＵＬＬ通信をアクティブ化／非アクティブ化するために、異なるＤＣＩビット、スクランブリング、ＣＲＣマスクなどを使用することができる。制御チャネル送信構成要素６３０は、ＣＳＳまたはＵＥ６０２に対応するＵＥ固有探索空間中の制御チャネルを送信することができ、ＵＥ６０２は、その制御チャネルを受信することができ、制御チャネルに基づいて、（たとえば、ＰＣｅｌｌまたはＳＣｅｌｌのための）ＵＬＬ通信をアクティブ化／非アクティブ化すべきかどうかを決定することができることを諒解されたい。
【００８８】
[0094]開示されるプロセスにおけるステップの特定の順序または階層は、例示的な手法の一例であることを理解されたい。設計選好に基づいて、プロセスにおけるステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００８９】
[0095]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本明細書で説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
[Ｃ１]  ワイヤレス通信においてユーザ機器（ＵＥ）においてデータを受信するための方法であって、
前記ＵＥにおいて、第１の送信時間間隔（ＴＴＩ）の第１のデータリソースに関連する制御チャネルを監視することと、
前記制御チャネルが第２のＴＴＩに基づく前記ＵＥのための第２のデータリソースをスケジュールすると決定することと、
前記第２のＴＴＩに基づく前記第２のデータリソースを介して受信されるデータを処理することと、ここにおいて、前記第１のＴＴＩの第１の持続時間が前記第２のＴＴＩの第２の持続時間よりも大きい、
を備える、方法。
[Ｃ２]  前記監視することが、前記制御チャネルの共通探索空間を監視することを備え、ここにおいて、前記制御チャネルが前記ＵＥのために前記第２のデータリソースをスケジュールすると決定することが、無線ネットワーク一時識別子（ＲＮＴＩ）に基づいて前記共通探索空間中のダウンリンク制御インジケータ（ＤＣＩ）をデスクランブルすることに少なくとも部分的に基づく、Ｃ１に記載の方法。
[Ｃ３]  前記ＲＮＴＩが、前記ＵＥによって識別されたページングＲＮＴＩ、ランダムアクセスＲＮＴＩ、またはシステム情報ＲＮＴＩのうちの少なくとも１つである、Ｃ２に記載の方法。
[Ｃ４]  前記制御チャネルが前記第２のＴＴＩに基づく前記ＵＥのための前記第２のデータリソースをスケジュールすると決定することが、さらに、前記ＤＣＩ中の１つまたは複数のビットの値を決定することに少なくとも部分的に基づく、Ｃ２に記載の方法。
[Ｃ５]  前記１つまたは複数のビットが前記第２のＴＴＩの前記第２の持続時間を示す、Ｃ４に記載の方法。
[Ｃ６]  前記制御チャネルが前記ＵＥのために前記第２のデータリソースをスケジュールすると前記決定することが、前記第２のＴＴＩに基づく前記第２のデータリソースのスケジューリングを示す前記ＤＣＩの巡回冗長検査（ＣＲＣ）マスキングを検出することに少なくとも部分的に基づく、Ｃ２に記載の方法。
[Ｃ７]  前記ＤＣＩが、前記第２のＴＴＩに基づく前記ＵＥのためにスケジュールされた前記第２のデータリソースの持続時間を示す、Ｃ２に記載の方法。
[Ｃ８]  前記第２のデータリソースが、前記制御チャネルの制御領域のリソースに時間的に後続して受信される、Ｃ１に記載の方法。
[Ｃ９]  前記第２のＴＴＩに基づく前記ＵＥのためにスケジュールされた前記第２のデータリソースが、ランダムアクセス要求許可に対応し、ランダムアクセスプロシージャにおける前記ＵＥからの後続の通信が、前記第１のＴＴＩに基づくのか前記第２のＴＴＩに基づくのかを決定することをさらに備える、Ｃ１に記載の方法。
[Ｃ１０]  前記後続の通信が前記第１のＴＴＩに基づくのか前記第２のＴＴＩに基づくのかを決定することが、前記ランダムアクセス要求許可に少なくとも部分的に基づく、Ｃ９に記載の方法。
[Ｃ１１]  前記制御チャネルが、ランダムアクセスチャネル指令の開始を示し、
前記ＵＥの無線ネットワーク一時識別子（ＲＮＴＩ）に基づいて前記制御チャネルの探索空間中の前記ＵＥのためのダウンリンク制御インジケータ（ＤＣＩ）をデスクランブルすることに少なくとも部分的に、１つまたは複数の後続の通信が前記第１のＴＴＩに基づくのか前記第２のＴＴＩに基づくのかを決定すること
をさらに備える、Ｃ１に記載の方法。
[Ｃ１２]  前記１つまたは複数の後続の通信が前記第１のＴＴＩに基づくのか前記第２のＴＴＩに基づくのかを決定することは、後続の物理ランダムアクセスチャネルが前記第１のＴＴＩに基づく、または後続のランダムアクセス応答が前記第２のＴＴＩに基づく、のうちの少なくとも１つを決定することを備える、Ｃ１１に記載の方法。
[Ｃ１３]  前記ＤＣＩに少なくとも部分的に基づいて、ランダムアクセス要求許可に応答するための応答ウィンドウを決定することをさらに備える、Ｃ１１に記載の方法。
[Ｃ１４]  前記ＤＣＩに少なくとも部分的に基づいて、ランダムアクセスプロシージャにおける追加の通信を受信することに関係するタイマーを決定することをさらに備える、Ｃ１１に記載の方法。
[Ｃ１５]  前記データがブロードキャストデータまたはユニキャストデータに対応する、Ｃ１に記載の方法。
[Ｃ１６]  前記制御チャネル中の指示に少なくとも部分的に基づいて、前記第２のＴＴＩに基づく通信を監視することをアクティブ化または非アクティブ化することをさらに備える、Ｃ１に記載の方法。
[Ｃ１７]  ワイヤレス通信においてデータを受信するための装置であって、
少なくとも１つのプロセッサと、
前記少なくとも１つのプロセッサと通信可能に結合されたメモリと
を備え、
ここにおいて、前記少なくとも１つのプロセッサは、
第１の送信時間間隔（ＴＴＩ）の第１のデータリソースに関連する制御チャネルを監視することと、
前記制御チャネルが第２のＴＴＩに基づくＵＥのための第２のデータリソースをスケジュールすると決定することと、
前記第２のＴＴＩに基づく前記第２のデータリソースを介して受信されるデータを処理することと、ここにおいて、前記第１のＴＴＩの第１の持続時間が前記第２のＴＴＩの第２の持続時間よりも大きい、
を行うように構成された、装置。
[Ｃ１８]  前記少なくとも１つのプロセッサが、少なくとも部分的に、前記制御チャネルの共通探索空間を監視することによって、前記制御チャネルを監視するように構成され、ここにおいて、前記少なくとも１つのプロセッサは、無線ネットワーク一時識別子（ＲＮＴＩ）に基づいて前記共通探索空間中の前記ＵＥのためのダウンリンク制御インジケータ（ＤＣＩ）をデスクランブルすることに少なくとも部分的に基づいて、前記制御チャネルが前記ＵＥのために前記第２のデータリソースをスケジュールすると決定するように構成された、Ｃ１７に記載の装置。
[Ｃ１９]  前記制御チャネルが前記ＵＥのために前記第２のデータリソースをスケジュールすると前記決定することが、前記第２のＴＴＩに基づく前記第２のデータリソースのスケジューリングを示す前記ＤＣＩの巡回冗長検査（ＣＲＣ）マスキングを検出することに少なくとも部分的に基づく、Ｃ１８に記載の装置。
[Ｃ２０]  前記制御チャネルがランダムアクセスチャネル指令の開始を示し、ここにおいて、前記少なくとも１つのプロセッサは、
前記ＵＥの無線ネットワーク一時識別子（ＲＮＴＩ）に基づいて前記制御チャネルの探索空間中の前記ＵＥのためのダウンリンク制御インジケータ（ＤＣＩ）をデスクランブルすることに少なくとも部分的に、１つまたは複数の後続の通信が前記第１のＴＴＩに基づくのか前記第２のＴＴＩに基づくのかを決定する
ようにさらに構成された、Ｃ１７に記載の装置。
[Ｃ２１]  ワイヤレス通信において発展型ノードＢ（ｅＮＢ）においてデータをスケジュールするための方法であって、
第１の送信時間間隔（ＴＴＩ）の第１のデータリソースに関連する制御チャネルを送信することと、
前記制御チャネル中の第２のＴＴＩに基づくユーザ機器（ＵＥ）のための第２のデータリソースのスケジューリングを示すことと、
前記第２のＴＴＩに基づく前記第２のデータリソースを介して前記ＵＥにデータを送信することと、ここにおいて、前記第１のＴＴＩの第１の持続時間が前記第２のＴＴＩの第２の持続時間よりも大きい、
を備える、方法。
[Ｃ２２]  前記第２のＴＴＩに基づく前記第２のデータリソースのスケジューリングを示すことが、無線ネットワーク一時識別子（ＲＮＴＩ）に基づいて前記ＵＥのためのダウンリンク制御インジケータ（ＤＣＩ）をスクランブルすることを備え、ここで、前記ＤＣＩが、前記第２のＴＴＩに基づく前記第２のデータリソースのスケジューリングを示す、Ｃ２１に記載の方法。
[Ｃ２３]  前記ＲＮＴＩが、前記ＵＥによって識別されたページングＲＮＴＩ、ランダムアクセスＲＮＴＩ、またはシステム情報ＲＮＴＩのうちの少なくとも１つである、Ｃ２２に記載の方法。
[Ｃ２４]  前記第２のデータリソースのスケジューリングを示すことが、前記第２のＴＴＩに基づく前記第２のデータリソースのスケジューリングを示す巡回冗長検査（ＣＲＣ）マスキングを用いて前記ＤＣＩをマスキングすることをさらに備える、Ｃ２２に記載の方法。
[Ｃ２５]  前記第２のＴＴＩに基づく前記ＵＥのためにスケジュールされた前記第２のデータリソースが、ランダムアクセス要求許可に対応し、ランダムアクセスプロシージャにおける前記ＵＥからの後続の通信が、前記第１のＴＴＩに基づくのか前記第２のＴＴＩに基づくのかを示すことをさらに備える、Ｃ２１に記載の方法。
[Ｃ２６]  前記制御チャネルを介してランダムアクセスチャネル指令の開始を示すことと、無線ネットワーク一時識別子（ＲＮＴＩ）に基づいてスクランブルされた前記制御チャネルの探索空間中の前記ＵＥのためのダウンリンク制御インジケータ（ＤＣＩ）に少なくとも部分的に基づいて、後続の通信が前記第１のＴＴＩに基づくのか前記第２のＴＴＩに基づくのかを示すこととをさらに備える、Ｃ２１に記載の方法。
[Ｃ２７]  前記ＤＣＩ中で、ランダムアクセス要求許可に応答するための応答ウィンドウを示すことをさらに備える、Ｃ２６に記載の方法。
[Ｃ２８]  前記ＤＣＩ中で、ランダムアクセスプロシージャにおける追加の通信を受信することに関係するタイマーを示すことをさらに備える、Ｃ２６に記載の方法。
[Ｃ２９]  ワイヤレス通信においてデータを受信するための装置であって、
少なくとも１つのプロセッサと、
前記少なくとも１つのプロセッサと通信可能に結合されたメモリと
を備え、
ここにおいて、前記少なくとも１つのプロセッサは、
第１の送信時間間隔（ＴＴＩ）の第１のデータリソースに関連する制御チャネルを送信することと、
前記制御チャネル中の第２のＴＴＩに基づくユーザ機器（ＵＥ）のための第２のデータリソースのスケジューリングを示すことと、
前記第２のＴＴＩに基づく前記第２のデータリソースを介して前記ＵＥにデータを送信することと、ここにおいて、前記第１のＴＴＩの第１の持続時間が前記第２のＴＴＩの第２の持続時間よりも大きい、
を行うように構成された、装置。
[Ｃ３０]  前記少なくとも１つのプロセッサが、少なくとも部分的に、無線ネットワーク一時識別子（ＲＮＴＩ）に基づいて前記ＵＥのためのダウンリンク制御インジケータ（ＤＣＩ）をスクランブルすることによって、前記第２のＴＴＩに基づく前記第２のデータリソースのスケジューリングを示すように構成され、ここで、前記ＤＣＩが、前記第２のＴＴＩに基づく前記第２のデータリソースのスケジューリングを示す、Ｃ２９に記載の装置。
【図１】
0006679622.tif 000002
【図２】
0006679622.tif 000003
【図３】
0006679622.tif 000004
【図４】
0006679622.tif 000005
【図５】
0006679622.tif 000006
【図６】
0006679622.tif 000007
【図７】
0006679622.tif 000008
【図８】
0006679622.tif 000009